(57)【要約】      （修正有）【課題】複数の画像形成装置で記録媒体に画像を形成するにあたり、前段の画像形成装置で画像が形成されてから後段の画像形成装置で画像を形成するまでの記録媒体の特性変化を考慮しない場合に比較して、記録媒体に形成される画像の画質を向上させる。【解決手段】記録媒体Ｇ上に画像を形成する第１画像形成装置２と、第１画像形成装置で画像が形成された前記記録媒体上に画像を形成する第２画像形成装置３と、第１画像形成装置で画像が形成されてから第２画像形成装置で画像が形成されるまでの記録媒体の特性変化に関する情報に応じて、第２画像形成装置の画像形成動作を制御する制御手段と、を備える。【選択図】図１
2020052388.tif 000002
【特許請求の範囲】
【請求項１】
記録媒体上に画像を形成する第１画像形成装置と、
前記第１画像形成装置で画像が形成された前記記録媒体上に画像を形成する第２画像形成装置と、
前記第１画像形成装置で画像が形成されてから前記第２画像形成装置で画像が形成されるまでの前記記録媒体の特性変化に関する情報に応じて、前記第２画像形成装置の画像形成動作を制御する制御手段と、
を備える画像形成システム。
【請求項２】
前記第１及び第２画像形成装置の画像形成動作を制御するサーバー装置を備える請求項１に記載の画像形成システム。
【請求項３】
前記制御手段は、前記サーバー装置に配置されている請求項２に記載の画像形成システム。
【請求項４】
前記記録媒体の特性変化に関する情報は、前記第１画像形成装置で画像が形成されてから前記第２画像形成装置で画像の形成が開始されるまでの経過時間である請求項１から３のいずれかに記載の画像形成システム。
【請求項５】
前記制御手段は、前記経過時間に応じて前記第２画像形成装置の二次転写電圧を制御する請求項４に記載の画像形成システム。
【請求項６】
前記制御手段は、前記経過時間に応じて前記第２画像形成装置における画像形成動作の開始の可否を判断する請求項４に記載の画像形成システム。
【請求項７】
前記制御手段は、前記第１画像形成装置における画像形成動作の内容及び／又は前記記録媒体の種類に応じて前記第２画像形成装置の画像形成条件を決定する請求項１から６のいずれかに記載の画像形成システム。
【請求項８】
環境条件を検知する環境検知手段を備え、
前記制御手段は、前記環境検知手段の検知結果に応じて前記第２画像形成装置の画像形成条件を決定する請求項１から７のいずれかに記載の画像形成システム。
【請求項９】
前記第２画像形成装置は、二次転写電圧を予め定められた範囲内にわたり調整可能な電圧調整手段を備え、
前記制御手段は、当該制御手段が決定した前記二次転写電圧が前記電圧調整手段で調整可能な値となるまで、前記第２画像形成装置における画像形成動作の開始を待機するよう制御する請求項１から８のいずれかに記載の画像形成システム。
【請求項１０】
前記電圧調整手段が調整可能な二次転写電圧か否かをユーザーに報知する報知手段を備える請求項９に記載の画像形成システム。
【請求項１１】
前記制御手段は、前記電圧調整手段が調整可能な二次転写電圧となったとき、前記第２画像形成装置における画像形成動作を自動的に開始する請求項９に記載の画像形成システム。
【請求項１２】
前記制御手段は、前記経過時間に応じて前記第２画像形成装置が前記記録媒体上に形成する画像の倍率を制御する請求項４に記載の画像形成システム。
【請求項１３】
前記制御手段は、前記記録媒体の坪量、前記記録媒体の紙目、前記第１画像形成装置における定着回数、前記第１画像形成装置における定着動作が前記記録媒体に与える熱量のうち少なくとも１つ以上に基づいて、前記第２画像形成装置が前記記録媒体上に画像を形成する際の倍率を補正する請求項１２に記載の画像形成システム。
【請求項１４】
前記制御手段は、予め定められた前記経過時間が経過するまで前記第２画像形成装置における画像形成動作を禁止する旨をユーザーに報知する報知手段を備える請求項１２に記載の画像形成システム。
【請求項１５】
前記制御手段は、予め定められた前記経過時間が経過したとき、前記第２画像形成装置における画像形成動作を自動的に開始する請求項１２に記載の画像形成システム。
【発明の詳細な説明】
【技術分野】
【０００１】
この発明は、画像形成システムに関する。
【背景技術】
【０００２】
従来、画像形成装置としては、有色トナーを用いて画像を形成する画像形成手段と、透明トナーを用いて画像を形成する画像形成手段など、複数の画像形成手段で同一の記録媒体に画像を形成するように構成したものがある。かかる画像形成装置に関連する技術として、例えば、特許文献１や特許文献２等に開示されたものが既に提案されている。
【０００３】
特許文献１は、有色トナー画像のトナー量に関する値、及び記録材の温度に応じて、有色トナー画像に透明トナーを重ねる部分の透明トナーのトナー量を補正するように構成したものである。
特許文献２は、下地画像が印刷された記録紙を給紙して追い刷り画像を印刷する場合、下地画像に対応する定着器の通過回数情報の示す回数に応じた縮小率で縮小部に縮小させた追い刷り画像を印刷させるように構成したものである。
【先行技術文献】
【特許文献】
【０００４】
【特許文献１】特開２０１２−０４８０５９号公報
【特許文献２】特開２０１８−０２６７５８号公報
【発明の概要】
【発明が解決しようとする課題】
【０００５】
この発明の目的は、複数の画像形成装置で記録媒体に画像を形成するにあたり、前段の画像形成装置で画像が形成されてから後段の画像形成装置で画像を形成するまでの記録媒体の特性変化を考慮しない場合に比較して、記録媒体に形成される画像の画質を向上させることにある。
【課題を解決するための手段】
【０００６】
請求項１に記載された発明は、記録媒体上に画像を形成する第１画像形成装置と、
前記第１画像形成装置で画像が形成された前記記録媒体上に画像を形成する第２画像形成装置と、
前記第１画像形成装置で画像が形成されてから前記第２画像形成装置で画像が形成されるまでの前記記録媒体の特性変化に関する情報に応じて、前記第２画像形成装置の画像形成動作を制御する制御手段と、
を備える画像形成システムである。
【０００７】
請求項２に記載された発明は、前記第１及び第２画像形成装置の画像形成動作を制御するサーバー装置を備える請求項１に記載の画像形成システムである。
【０００８】
請求項３に記載された発明は、前記制御手段は、前記サーバー装置に配置されている請求項２に記載の画像形成システムである。
【０００９】
請求項４に記載された発明は、前記記録媒体の特性変化に関する情報は、前記第１画像形成装置で画像が形成されてから前記第２画像形成装置で画像の形成が開始されるまでの経過時間である請求項１から３のいずれかに記載の画像形成システムである。
【００１０】
請求項５に記載された発明は、前記制御手段は、前記経過時間に応じて前記第２画像形成装置の二次転写電圧を制御する請求項４に記載の画像形成システムである。
【００１１】
請求項６に記載された発明は、前記制御手段は、前記経過時間に応じて前記第２画像形成装置における画像形成動作の開始の可否を判断する請求項４に記載の画像形成システムである。
【００１２】
請求項７に記載された発明は、前記制御手段は、前記第１画像形成装置における画像形成動作の内容及び／又は前記記録媒体の種類に応じて前記第２画像形成装置の画像形成条件を決定する請求項１から６のいずれかに記載の画像形成システムである。
【００１３】
請求項８に記載された発明は、環境条件を検知する環境検知手段を備え、
前記制御手段は、前記環境検知手段の検知結果に応じて前記第２画像形成装置の画像形成条件を決定する請求項１から７のいずれかに記載の画像形成システムである。
【００１４】
請求項９に記載された発明は、前記第２画像形成装置は、二次転写電圧を予め定められた範囲内にわたり調整可能な電圧調整手段を備え、
前記制御手段は、当該制御手段が決定した前記二次転写電圧が前記電圧調整手段で調整可能な値となるまで、前記第２画像形成装置における画像形成動作の開始を待機するよう制御する請求項１から８のいずれかに記載の画像形成システムである。
【００１５】
請求項１０に記載された発明は、前記電圧調整手段が調整可能な二次転写電圧か否かをユーザーに報知する報知手段を備える請求項９に記載の画像形成システムである。
【００１６】
請求項１１に記載された発明は、前記制御手段は、前記電圧調整手段が調整可能な二次転写電圧となったとき、前記第２画像形成装置における画像形成動作を自動的に開始する請求項９に記載の画像形成システムである。
【００１７】
請求項１２に記載された発明は、前記制御手段は、前記経過時間に応じて前記第２画像形成装置が前記記録媒体上に形成する画像の倍率を制御する請求項４に記載の画像形成システムである。
【００１８】
請求項１３に記載された発明は、前記制御手段は、前記記録媒体の坪量、前記記録媒体の紙目、前記第１画像形成装置における定着回数、前記第１画像形成装置における定着動作が前記記録媒体に与える熱量のうち少なくとも１つ以上に基づいて、前記第２画像形成装置が前記記録媒体上に画像を形成する際の倍率を補正する請求項１２に記載の画像形成システムである。
【００１９】
請求項１４に記載された発明は、前記制御手段は、予め定められた前記経過時間が経過するまで前記第２画像形成装置における画像形成動作を禁止する旨をユーザーに報知する報知手段を備える請求項１２に記載の画像形成システムである。
【００２０】
請求項１５に記載された発明は、前記制御手段は、予め定められた前記経過時間が経過したとき、前記第２画像形成装置における画像形成動作を自動的に開始する請求項１２に記載の画像形成システムである。
【発明の効果】
【００２１】
請求項１に記載された発明によれば、複数の画像形成装置で記録媒体に画像を形成するにあたり、前段の画像形成装置で画像が形成されてから後段の画像形成装置で画像を形成するまでの記録媒体の状態変化を考慮しない場合に比較して、記録媒体に形成される画像の画質を向上させることができる。
【００２２】
請求項２に記載された発明によれば、第１及び第２画像形成装置の画像形成動作を制御するサーバー装置を備えない場合に比較して、２つ画像形成装置をサーバー装置からの処理に基づいて制御できる。
【００２３】
請求項３に記載された発明によれば、制御手段は、サーバー装置に配置されていない場合に比較して、２つ画像形成装置をサーバー装置からの処理に基づいて制御できる。
【００２４】
請求項４に記載された発明によれば、記録媒体の特性変化に関する情報が、第１画像形成装置で画像が形成されてから第２画像形成装置で画像の形成が開始されるまでの経過時間でない場合に比較して、記録媒体の特性変化を確実に反映させることができる。
【００２５】
請求項５に記載された発明によれば、制御手段は、経過時間に応じて第２画像形成装置の二次転写電圧を制御しない場合に比較して、記録媒体の画質をより一層向上させることができる。
【００２６】
請求項６に記載された発明によれば、制御手段は、経過時間に応じて第２画像形成装置における画像形成動作の開始の可否を判断しない場合に比較して、記録媒体に形成される画像の画質を向上させることができる。
【００２７】
請求項７に記載された発明によれば、制御手段は、第１画像形成装置における画像形成動作の内容及び／又は記録媒体の種類に応じて第２画像形成装置の画像形成条件を決定しない場合に比較して、第１画像形成装置における画像形成動作の内容及び／又は記録媒体の種類の変化に対応することができる。
【００２８】
請求項８に記載された発明によれば、制御手段は、環境検知手段の検知結果に応じて第２画像形成装置の画像形成条件を決定しない場合に比較して、環境の変化に対応することができる。
【００２９】
請求項９に記載された発明によれば、制御手段は、制御手段が決定した二次転写電圧が調整手段で調整可能な値となるまで、第２画像形成装置における画像形成動作の開始を待機しない場合に比較して、二次転写電圧を適正な値に調整することが可能となる。
【００３０】
請求項１０に記載された発明によれば、電圧調整手段が調整可能な二次転写電圧か否かをユーザーに報知する報知手段を備えない場合に比較して、ユーザーが第２画像形成装置で画像形成動作を待機している情報を取得することができる。
【００３１】
請求項１１に記載された発明によれば、電圧調整手段が調整可能な二次転写電圧となったとき、第２画像形成装置における画像形成動作を自動的に開始しない場合に比較して、操作性を向上させることができる。
【００３２】
請求項１２に記載された発明によれば、制御手段は、経過時間に応じて第２画像形成装置が記録媒体上に形成する画像の倍率を制御しない場合に比較して、経過時間に応じて記録用紙の収縮率が変化した場合でも画像の位置精度を向上させることができる。
【００３３】
請求項１３に記載された発明によれば、制御手段は、記録媒体の坪量、記録媒体の紙目、第１画像形成装置における定着回数、第１画像形成装置における定着動作が記録媒体に与える熱量のうち少なくとも１つ以上に基づいて、第２画像形成装置が記録媒体上に画像を形成する際の倍率を補正しない場合に比較して、画像の位置精度を向上させることができる。
【００３４】
請求項１４に記載された発明によれば、制御手段は、予め定められた経過時間が経過するまで第２画像形成装置における画像形成動作を禁止する旨をユーザーに報知する報知手段を備えない場合に比較して、記録媒体上に形成する画像の倍率を制御する複雑な制御を行うことなく、画像の位置精度を向上させることができる。
【００３５】
請求項１５に記載された発明によれば、制御手段は、予め定められた経過時間が経過したとき、第２画像形成装置における画像形成動作を自動的に開始しない場合に比較して、ユーザーの利便性が向上する。
【図面の簡単な説明】
【００３６】
【図１】この発明の実施の形態１に係る画像形成システムを示す構成図である。
【図２】この発明の実施の形態１に係る画像形成システムのカラー画像形成装置の全体の概要を示す構成図である。
【図３】この発明の実施の形態１に係る画像形成システムのカラー画像形成装置の制御装置を示すブロック図である。
【図４】この発明の実施の形態１に係る画像形成システムの特色画像形成装置の全体の概要を示す構成図である。
【図５】この発明の実施の形態１に係る画像形成システムの特色画像形成装置の制御装置を示すブロック図である。
【図６】放置時間と記録用紙の含水率及び体積抵抗率との関係を示すグラフである。
【図７】記録用紙の体積抵抗率の違いによる二次転写の状態をそれぞれ示す模式図である。
【図８】この発明の実施の形態１に係る画像形成システムのサーバー装置を示すブロック図である。
【図９】放置時間に対する記録用紙の体積抵抗率と適正な二次転写バイアス電圧との関係を示すグラフである。
【図１０】環境湿度に対する放置時間と適切な二次転写バイアス電圧との関係を示すグラフである。
【図１１】通常環境下における放置時間と適切な二次転写バイアス電圧との関係を示すグラフである。
【図１２】高湿環境下における放置時間と適切な二次転写バイアス電圧との関係を示すグラフである。
【図１３】低湿環境下における放置時間と適切な二次転写バイアス電圧との関係を示すグラフである。
【図１４】高湿環境下における放置時間に対する適切な二次転写バイアス電圧の求め方を示すグラフである。
【図１５】高湿環境下において記録用紙を長時間放置した場合の二次転写の状態を示す模式図ある。
【図１６】高湿環境下において記録用紙を短時間放置した場合の二次転写の状態を示す模式図ある。
【図１７】この発明の実施の形態２に係る画像形成システムの記録用紙の種類が異なる場合における放置時間に対する適正な二次転写バイアス電圧の関係を示すグラフである。
【図１８】この発明の実施の形態２に係る画像形成システムの記録用紙の種類が異なる場合における放置時間に対する適正な二次転写バイアス電圧の関係を示すグラフである。
【図１９】この発明の実施の形態３に係る画像形成システムの放置時間に対する適正な二次転写バイアス電圧の関係を示すグラフである。
【図２０】この発明の実施の形態４に係る画像形成システムの放置時間に対する適正な二次転写バイアス電圧の可変範囲を示すグラフである。
【図２１】この発明の実施の形態５に係る画像形成システムにおける記録用紙の放置時間の求め方を示す模式図である。
【図２２】この発明の実施の形態５に係る画像形成システムの特色画像形成装置を示す構成図である。
【図２３】この発明の実施の形態６に係る画像形成システムにおけるサーバー装置の操作部を示す構成図である。
【図２４】この発明の実施の形態７に係る画像形成システムのカラー画像形成装置を示す構成図である。
【図２５】この発明の実施の形態８に係る画像形成システムのカラー画像形成装置を示す構成図である。
【図２６】この発明の実施の形態８に係る画像形成システムのカラー画像形成装置の異なる態様を示す構成図である。
【図２７】この発明の実施の形態９に係る画像形成システムを示す概略構成図である。
【図２８】この発明の実施の形態９に係る画像形成システムの第２画像形成装置を示す構成図である。
【図２９】放置時間と記録用紙の含水率及び伸縮率の関係を示すグラフである。
【図３０】この発明の実施の形態９に係る画像形成システムの第２画像形成装置の制御装置を示すブロック図である。
【図３１】画像処理部を示すブロック図である。
【図３２】放置時間と画像補正倍率の関係を示すグラフである。
【図３３】この実施の形態９に係る画像形成システムにおける記録用紙の伸縮状態及び画像形成倍率の補正状態を示す説明図である。
【図３４】この発明の実施の形態１０に係る画像形成システムにおける記録用紙の放置時間と画像補正倍率の関係を示すグラフである。
【図３５】この実施の形態１０に係る画像形成システムにおける記録用紙の伸縮状態を示す説明図である。
【図３６】この実施の形態１０に係る画像形成システムにおける画像形成倍率の補正状態を示す説明図である。
【図３７】この発明の実施の形態１１に係る画像形成システムのカラー画像形成装置の異なる態様を示す構成図である。
【図３８】この発明の実施の形態１２に係る画像形成システムを示す概略構成図である。
【図３９】この発明の実施の形態１４に係る画像形成システムの表示部を示す構成図である。
【発明を実施するための形態】
【００３７】
以下に、この発明の実施の形態について図面を参照して説明する。
【００３８】
[実施の形態１]
図１乃至図５は、実施の形態１に係る画像形成システムを示すものである。図１はその画像形成システムの全体の概要を示し、図２はカラー画像形成装置の全体の概要を示し、図３はそのカラー画像形成装置の制御装置を示し、図４は特色画像形成装置の全体の概要を示し、図５はその特色画像形成装置の制御装置を示している。
【００３９】
＜画像形成システムの構成＞
画像形成システム１は、図１に示されるように、イエロー（Ｙ）、マゼンタ（Ｍ）、シアン（Ｃ）及びブラック（Ｋ）の有色トナーを用いて画像を形成する第１画像形成装置の一例としてのカラー画像形成装置２と、白色、金や銀等の金属色、カスタムカラーあるいは透明トナーなどの特色トナーを用いて画像を形成する第２画像形成装置の一例としての特色画像形成装置３と、これらカラー画像形成装置２及び特色画像形成装置３を制御するサーバー装置４とを備えている。カラー画像形成装置２、特色画像形成装置３及びサーバー装置４は、通信回線５を介して相互に通信可能に接続されている。通信回線５は、ＬＡＮ（local area network）や電話回線、インターネット等で構成されている。カラー画像形成装置２及び特色画像形成装置３は、ユーザーが作業するオフィス内などに設置される。
【００４０】
ここで、特色トナーとは、カラー画像形成装置２で通常使用されるイエロー（Ｙ）、マゼンタ（Ｍ）、シアン（Ｃ）及びブラック（Ｋ）の基本色（プロセスカラーともいう）以外のトナーをいう。特色トナーには、透明トナーや発泡トナーなども含むものである。また、カスタムカラーとは、イエロー（Ｙ）、マゼンタ（Ｍ）、シアン（Ｃ）及びブラック（Ｋ）等の所謂カラートナー以外の単色として作成された色をいう。カスタムカラーには、オレンジやグリーン、あるいはブルーなどのパステルカラーや蛍光色が含まれる。
【００４１】
この画像形成システム１は、カラー画像形成装置２で記録媒体の一例としての記録用紙６に画像を形成した後、当該記録用紙６を特色画像形成装置３にセットし、特色画像形成装置３によってカラー画像形成装置２では形成することができない白色、金や銀等の金属色、あるいはカスタムカラーなどの特色トナーからなる画像を形成する場合等に使用される。
【００４２】
なお、画像形成システム１において記録用紙６に画像を形成する順序は、カラー画像形成装置２から特色画像形成装置３の順に限定されるものではなく、先に特色画像形成装置３で記録用紙６に画像を形成した後に、カラー画像形成装置２で画像を形成しても良い。
【００４３】
＜カラー画像形成装置の構成＞
実施の形態１に係るカラー画像形成装置２は、例えばカラープリンタとして構成されたものである。このカラー画像形成装置２は、図２に示されるように、装置本体２ａの内部空間において水平方向に沿って１列に並べた状態で配置される４つの作像装置２０を備えている。４つの作像装置２０は、イエロー（Ｙ），マゼンタ（Ｍ），シアン（Ｃ）及びブラック（Ｋ）の各色に対応したカラートナー像をそれぞれ専用に形成する作像装置２０Ｙ，２０Ｍ，２０Ｃ，２０Ｋからなる。
【００４４】
各作像装置２０（Ｙ，Ｍ，Ｃ，Ｋ）は、図２に示されるように、基本的に同様に構成されている。各作像装置２０（Ｙ，Ｍ，Ｃ，Ｋ）は、矢印Ａで示す方向に沿って回転する像保持手段の一例としての感光体ドラム２１と、感光体ドラム２１の像形成が可能な周面（像保持面)を所要の電位に帯電させる帯電装置２２と、感光体ドラム２１の帯電された周面に画像の情報（信号）に基づく光ＬＢを照射して電位差のある（各色用の）静電潜像を形成する露光手段の一例としての露光装置２３と、その静電潜像を対応する色（Ｙ，Ｍ，Ｃ，Ｋ）の現像剤のトナーで現像してトナー像にする現像手段の一例としての現像装置２４（Ｙ，Ｍ，Ｃ，Ｋ）と、その各トナー像を中間転写装置３０に転写する一次転写手段の一例としての一次転写装置２５と、一次転写後における感光体ドラム２１の像保持面に残留して付着するトナー等の付着物を取り除いて清掃するドラム清掃装置２６等を備えている。なお、図２中の破線は、装置本体２ａの内部において記録用紙６が搬送される主な搬送経路を示す。
【００４５】
各作像装置２０（Ｙ，Ｍ，Ｃ，Ｋ）の下方の位置には、中間転写装置３０が配置される。中間転写装置３０は、各作像装置２０（Ｙ，Ｍ，Ｃ，Ｋ）の感光体ドラム２１の下方に位置する一次転写位置Ｔ１を通過しながら矢印Ｂで示す方向に循環移動する中間転写手段の一例としての中間転写ベルト３１を備えている。一次転写位置Ｔ１においては、一次転写装置２５（一次転写ロール）が中間転写ベルト３１を介して感光体ドラム２１の周面に接触している。一次転写装置２５には、感光体ドラム２１上のトナー像と逆極性の一次転写バイアス電圧が図示しない高圧電源により印加される。中間転写ベルト３１は、複数のベルト支持ロール３２〜３７によってその内周から所望の状態に保持して循環移動可能に支持されている。複数のベルト支持ロール３２〜３７は、駆動ロールとしてのベルト支持ロール３２と、中間転写ベルト３１の走行位置などを保持する従動ロールとしてのベルト支持ロール３３，３５と、張力付与ロールとしてのベルト支持ロール３４と、二次転写のバックアップロールとしてのベルト支持ロール３６と、ベルト清掃装置３８の支持ロールとしてのベルト支持ロール３７から構成されている。
【００４６】
ベルト支持ロール３６に支持されている中間転写ベルト３１の外周面（像保持面）には、中間転写ベルト３１上のトナー像を記録用紙６に二次転写させる二次転写装置４０が配置されている。二次転写装置４０は、二次転写位置Ｔ２において中間転写ベルト３１を支持するベルト支持ロール３６と、当該ベルト支持ロール３６に支持されている中間転写ベルト３１の外周面部分に接触して回転するよう配置される二次転写ロール４１とを備えた接触型の転写装置が採用される。この実施の形態では、二次転写ロール４１が接地処理されている。また、ベルト支持ロール３６には、トナーの帯電極性と同極性であるマイナス極性の所要の二次転写バイアス電圧が、バイアス印加ロール３９を介して図示しない高圧電源から供給される。中間転写ベルト３１の二次転写装置４０を通過した下流側には、その表面に残留して付着するトナー、紙粉等の付着物を取り除いて清掃するベルト清掃装置３８が配置されている。なお、この実施の形態では、二次転写ロール４１を接地処理し、ベルト支持ロール３６にトナーの帯電極性と同極性であるマイナス極性の所要の二次転写バイアス電圧を印加するように構成したが、これに限定されるものではなく、ベルト支持ロール３６を接地処理し、二次転写ロール４１にトナーの帯電極性と逆極性であるプラス極性の所要の二次転写バイアス電圧を印加するように構成しても良い。
【００４７】
定着装置５０は、図２に示されるように、表面温度が予め定められた温度に保持されるよう加熱手段（熱源）によって加熱されるロール形態又はベルト形態の加熱用回転体５１と、この加熱用回転体５１に所要の圧力で接触して回転するロール形態又はベルト形態の加圧用回転体５２などを配置して構成されたものである。この定着装置５０では、加熱用回転体５１と加圧用回転体５２が接触する接触部が所要の定着処理（加熱及び加圧）を行う定着処理部となる。
【００４８】
給紙装置６０は、中間転写装置３０の下方の位置に存在するよう配置される。この給紙装置６０は、所望のサイズ、種類等の記録用紙６を積載した状態で収容する単数（又は複数）の用紙収容体６１と、用紙収容体６１から記録用紙６を１枚ずつ送り出す送出装置６２とで主に構成されている。用紙収容体６１は、例えば、装置本体２ａの正面（使用者が操作時に向き合う側面）側に引き出すことができるように取り付けられている。
【００４９】
記録用紙６としては、例えば、電子写真方式の複写機、プリンタ等に使用される普通紙やトレーシングペーパー等の薄紙、あるいは合成樹脂（ＰＥＴなど）製の透明なフィルム状の媒体からなるＯＨＰシート等が挙げられる。定着後における画像表面の平滑性をさらに向上させるには、記録用紙６の表面もできるだけ平滑であることが好ましく、例えば、普通紙の表裏両面又は表面を樹脂等でコーティングしたコート紙、印刷用のアート紙等の坪量が相対的に大きい所謂厚紙なども好適に使用することができる。また、記録用紙６としては、用紙を構成する繊維そのものが黒色である黒紙なども用いられる。
【００５０】
用紙収容体６１から供給される記録用紙６の種類は、画像形成動作を指示するサーバー装置４やカラー画像形成装置２の操作部によって選択されるか、あるいは用紙収容体６１に設けられた図示しない検知手段によって判別される。検知手段は、用紙収容体６１に収容される記録用紙６の種類に応じた信号を後述する制御装置２００に出力するものであれば良い。
【００５１】
給紙装置６０と二次転写装置４０との間には、給紙装置６０から送り出される記録用紙６を二次転写位置Ｔ２まで搬送する単数（又は複数）の用紙搬送ロール対６３〜６６や図示しない搬送ガイド材で構成される給紙搬送路６７が設けられている。給紙搬送路６７において二次転写位置Ｔ２の直前の位置に配置される用紙搬送ロール対６６は、例えば記録用紙６の搬送時期を調整するロール（レジストロール）として構成されている。
【００５２】
また、二次転写装置４０と定着装置５０との間には、二次転写装置４０から送り出される記録用紙６を定着装置５０まで搬送する複数（又は単数）の用紙搬送ベルト６８，６９，７０で構成される用紙搬送路７１が設けられている。
【００５３】
定着装置５０の下流側には、定着装置５０によりトナー像が定着された記録用紙６を、装置本体２ａの側面に配置された排出収容部７２に排出するための用紙排出ロール７３を備えた排出搬送路７４が設けられている。
【００５４】
排出搬送路７４の途中には、記録用紙６の表裏を反転させる反転搬送路７５が下方へ向けて分岐されている。排出搬送路７４の分岐位置には、記録用紙６の搬送方向を切り替える図示しない切替部材が設けられている。反転搬送路７５には、回転方向が正転方向と逆転方向に切り替え可能な反転ロール対７６が配置されている。反転搬送路７５には、反転ロール対７６の上部から左方に分岐した両面搬送路７７が接続されている。両面搬送路７７には、表裏が反転された記録用紙６を給紙搬送路６７へと搬送する複数の両面搬送ロール対７８〜８１や図示しない搬送ガイド材等が配置されている。
【００５５】
図２中、符号２００はカラー画像形成装置２の制御装置を示している。
【００５６】
図３はこの実施の形態１に係る画像形成システム１におけるカラー画像形成装置２の制御装置を示すブロック図である。
【００５７】
制御装置２００は、制御部２０１と、記憶部２０２と、操作部２０３と、通信部２０４とを備えている。
【００５８】
制御部２０１は、記憶部２０２に記憶されたプログラムを実行するとともに、サーバー装置４から送られる制御信号に応じてカラー画像形成装置２の画像形成部２０５を制御する。また、制御部２０１は、記憶部２０２や操作部２０３、あるいは通信部２０４を制御するとともに、通信部２０４を介してサーバー装置４及び特色画像形成装置３と通信を行う。なお、特色画像形成装置３との通信は直接行わなくても、サーバー装置４を介して特色画像形成装置３の情報を取得したり、カラー画像形成装置２の情報を送信したりするものでもかまわない。
【００５９】
操作部２０３は、ユーザーが記録用紙６の種類やプリント枚数、片面又は両面プリント、フルカラーモードやモノクロモードなどの画像形成モードなどを入力するとともに、開始ボタンにより画像形成動作の開始を指示する入力部２０３ａと、入力部２０３ａで入力された画像形成条件やカラー画像形成装置２の状態などを表示する表示部２０３ｂを備えている。
【００６０】
＜カラー画像形成装置の動作＞
以下、カラー画像形成装置２による基本的な画像形成動作について説明する。
【００６１】
ここでは、前記４つの作像装置２０（Ｙ，Ｍ，Ｃ，Ｋ）を使用して、４色（Ｙ，Ｍ，Ｃ，Ｋ）のトナー像を組み合わせて構成されるカラー画像を形成するときの画像形成動作について説明する。
【００６２】
カラー画像形成装置２は、サーバー装置４から画像形成動作（プリント）の要求の指令情報を受けると、制御装置２００の制御によって、４つの作像装置２０（Ｙ，Ｍ，Ｃ，Ｋ）、中間転写装置３０、二次転写装置４０、定着装置５０等が始動する。
【００６３】
そして、各作像装置２０（Ｙ，Ｍ，Ｃ，Ｋ）においては、まず各感光体ドラム２１が矢印Ａで示す方向に回転し、各帯電装置２２が各感光体ドラム２１の表面を所要の極性（実施の形態１ではマイナス極性）及び電位に帯電させる。続いて、露光装置２３が、帯電後の感光体ドラム２１の表面に対し、カラー画像形成装置２に入力される画像の情報を各色成分（Ｙ，Ｍ，Ｃ，Ｋ）に変換して得られる画像の信号に基づいて発光される光を照射し、その表面に所要の電位差で構成される各色成分の静電潜像をそれぞれ形成する。
【００６４】
続いて、各現像装置２４（Ｙ，Ｍ，Ｃ，Ｋ）が、感光体ドラム２１に形成された各色成分の静電潜像に対し、所要の極性（マイナス極性）に帯電された対応する色（Ｙ，Ｍ，Ｃ，Ｋ）のトナーをそれぞれ供給して静電的に付着させて現像を行う。この現像により、各感光体ドラム２１に形成された各色成分の静電潜像は、その対応する色のトナーでそれぞれ現像された４色（Ｙ，Ｍ，Ｃ，Ｋ）のトナー像として顕像化される。
【００６５】
続いて、各作像装置２０（Ｙ，Ｍ，Ｃ，Ｋ）の感光体ドラム２１上に形成された各色のトナー像が一次転写位置Ｔ１まで搬送されると、一次転写装置２５が、その各色のトナー像を中間転写装置３０の矢印Ｂで示す方向に回転する中間転写ベルト３１に対して順番に重ね合わせるような状態で一次転写させる。
【００６６】
また、一次転写が終了した各作像装置２０では、ドラム清掃装置２６が付着物を掻き取るように除去して感光体ドラム２１の表面を清掃する。これにより、各作像装置２０は次の作像動作が可能な状態にされる。
【００６７】
続いて、中間転写装置３０では、中間転写ベルト３１の回転により一次転写されたトナー像を保持して二次転写位置Ｔ２まで搬送する。一方、給紙装置６０では、作像動作に合わせて所要の記録用紙６を給紙搬送路６７に送り出す。給紙搬送路６７では、レジストロールとしての用紙搬送ロール対６６が記録用紙６を転写時期に合わせて二次転写位置Ｔ２に送り出して供給する。
【００６８】
二次転写位置Ｔ２においては、二次転写ロール４１が、中間転写ベルト３１上のトナー像を記録用紙６に一括して二次転写させる。また、二次転写が終了した後の中間転写装置３０では、ベルト清掃装置３８が、二次転写後の中間転写ベルト３１の表面に残留したトナー等の付着物を取り除いて清掃する。
【００６９】
続いて、トナー像が二次転写された記録用紙６は、中間転写ベルト３１と二次転写ロール４１から剥離された後に３連の搬送ベルト６８，６９，７０によって定着装置５０まで搬送される。定着装置５０では、回転する加熱用回転体５１と加圧用回転体５２との間の接触部に二次転写後の記録用紙６を導入して通過させることにより、必要な定着処理（加熱及び加圧）をして未定着のトナー像を記録用紙６に定着させる。
【００７０】
定着処理が終了した後の記録用紙６は、排出搬送路７４を介して用紙排出ロール７３により、カラー画像形成装置２の側面に設けられた排出収容部７２に排出される。
【００７１】
また、カラー画像形成装置２において、記録用紙６の両面に画像を形成する場合は、片面に画像が形成された記録用紙６を用紙排出ロール７３によって排出収容部７２へ排出せずに、図示しない切替部材によって記録用紙６の搬送路が排出搬送路７４から反転搬送路７５へと切り替えられる。反転搬送路７５へ導かれた記録用紙６は、反転ロール対７６が記録用紙６の後端を挟持したままの状態で、当該反転ロール対７６の回転方向が正転方向から逆転方向に切り替えられ、表裏が反転された状態で両面搬送路７７へと搬送される。両面搬送路７７へ搬送された記録用紙６は、複数の用紙搬送ロール対７８〜８１によって給紙搬送路６７へ搬送され、中間転写ベルト３１から裏面にトナー像が転写される。その後、記録用紙６は、定着装置５０まで搬送されて、裏面に転写されたトナー像に対して定着装置５０により定着処理（加熱及び加圧）が施され、排出搬送路７４を経由して用紙排出ロール７３により排出収容部７２へ排出される。
【００７２】
以上の動作が行われることにより、４色のトナー（Ｙ，Ｍ，Ｃ，Ｋ）からなるトナー像を組み合わせて形成されるフルカラー画像が記録用紙６の片面又は両面に形成される。また、複数枚の画像形成動作の要求指令を受けた場合は、その枚数分だけ上記画像形成動作が同様に繰り返して行われる。なお、上述したように、フルカラー画像以外に、１乃至３つの作像装置においてトナー像を形成することにより、１乃至３色のトナー像を適宜組み合わせた画像も、同様の画像形成動作によって記録用紙６上に形成される。
【００７３】
＜特色画像形成装置の構成＞
図４はこの発明の実施の形態１に係る画像形成システム１の特色画像形成装置３を示す構成図である。
【００７４】
実施の形態１に係る特色画像形成装置３は、例えば特色プリンタとして構成されたものである。この特色画像形成装置３は、図４に示されるように、形成するトナー像の色が異なる以外は、基本的にカラー画像形成装置２と同様に構成されており、同一の部材には同一の符号を付して詳細な説明を省略する。特色画像形成装置３は、互いに異なる特色トナー像を形成する４つの作像装置２０を備えている。
【００７５】
４つの作像装置２０は、大別して、透明トナー（ＣＴ）で現像される透明トナー像を形成する作像装置２０ＣＴと、カスタムカラー（ＣＵ）のトナーで現像されるトナー像を形成する作像装置２０ＣＵと、金属色の一例として銀色（ＳＩ）のトナーで現像されるトナー像を形成する作像装置２０ＳＩと、白色（Ｗ）のトナーで現像される白色トナー像を形成する作像装置２０Ｗで構成されている。これらの４つの作像装置２０は、装置本体３ａの内部空間において水平方向に沿って１列に並べた状態で配置されている。なお、透明トナー像を形成する作像装置２０ＣＴは、中間転写ベルト３１の移動方向に沿った最も上流側に配置されている。
【００７６】
各作像装置２０（ＣＴ，ＣＵ，ＳＩ，Ｗ）は、カラー画像形成装置２の各作像装置２０（Ｙ，Ｍ，Ｃ，Ｋ）と同様に構成されている。
【００７７】
二次転写装置４０は、カラー画像形成装置２と同様、二次転写位置Ｔ２において中間転写ベルト３１を支持するベルト支持ロール３６と、当該ベルト支持ロール３６に支持されている中間転写ベルト３１の外周面部分に接触して回転するよう配置される二次転写ロール４１とを備えた接触型の転写装置が採用される。
【００７８】
ベルト支持ロール３６には、トナーの帯電極性と同極性であるマイナス極性の所要の二次転写バイアス電圧を印加するバイアス印加ロール３９が接触するよう配置されている。バイアス印加ロール３９には、電圧調整手段としての機能を備えた高圧電源３０６から二次転写バイアス電圧が供給される。
【００７９】
特色画像形成装置３は、図４に示されるように、装置本体３ａの左側面に外部給紙手段の一例としての外部給紙装置９０を備えている。外部給紙装置９０は、給紙装置６０と同様に、所望のサイズ、種類等の記録用紙６を積載した状態で収容する単数（又は複数）の用紙収容体９１と、用紙収容体９１から記録用紙６を１枚ずつ送り出す送出装置９２とで主に構成されている。なお、外部給紙装置９０としては、所謂手差しトレイを用いても良い。
【００８０】
特色画像形成装置３は、装置本体３ａ内の外部給紙装置９０の近傍に、環境条件としての湿度を検知する環境検知手段の一例としての環境センサ９５を備えている。環境センサ９５によって検知された湿度情報は、予め定められた時間毎に後述する制御装置３００を介してサーバー装置４に送られる。
【００８１】
外部給紙装置９０は、給紙装置６０から供給される以外の記録用紙６を給紙することが可能なことは勿論のこと、他の画像形成装置の一例であるカラー画像形成装置２で片面又は両面に既に画像が形成された記録用紙６を用紙収容体９１に収容することにより、送出装置９２によって用紙収容体９１から既に画像が形成された記録用紙６を１枚ずつ送り出して供給することが可能となっている。
【００８２】
外部給紙装置９０は、補助給紙搬送路９３を介して給紙搬送路６７と接続されている。  外部給紙装置９０から供給された記録用紙６は、補助給紙搬送路９３を介して給紙搬送路６７に配置された用紙搬送ロール対６５，６６により中間転写装置３０の二次転写位置Ｔ２へと搬送される。
【００８３】
図４中、符号３００は特色画像形成装置３の制御装置を示している。
【００８４】
図５はこの実施の形態１に係る画像形成システム１における特色画像形成装置３の制御装置を示すブロック図である。
【００８５】
制御装置３００は、制御部３０１と、記憶部３０２と、操作部３０３と、通信部３０４とを備えている。
【００８６】
制御部３０１は、記憶部３０２に記憶されたプログラムを実行するとともに、サーバー装置４から送られる制御信号に応じて特色画像形成装置３の画像形成部３０５を制御する。また、制御部３０１は、記憶部３０２や操作部３０３、あるいは通信部３０４を制御するとともに、通信部３０４を介してサーバー装置４及びカラー画像形成装置２と通信を行う。環境センサ９５の検知結果は、制御部３０１の制御動作に応じて通信部３０４を介してサーバー装置４に送られる。なお、カラー画像形成装置２との通信は直接行わなくても、サーバー装置４を介してカラー画像形成装置２の情報を取得したり、特色画像形成装置３の情報を送信したりするものでもかまわない。
【００８７】
操作部３０３は、ユーザーが記録用紙６の種類やプリント枚数、片面又は両面プリント、特色トナーの選択などを入力するとともに、開始ボタンにより画像形成動作の開始を指示する入力部３０３ａと、入力部３０３ａで入力された画像形成条件や特色画像形成装置３の状態などを表示する表示部３０３ｂを備えている。
【００８８】
＜特色画像形成装置の動作＞
特色画像形成装置３による画像形成動作は、基本的に、カラー画像形成装置２と同様である。
【００８９】
特色画像形成装置３は、外部給紙装置９０の用紙収容体９１にカラー画像形成装置２で既に画像が形成された記録用紙６を収容した状態で、サーバー装置４から画像形成動作（プリント）の要求の指令情報を受けるか、又は特色画像形成装置３の操作部３０３が操作されて画像形成動作（プリント）の要求の指令情報を受けると、制御装置３００の制御によって、４つの作像装置２０（ＣＴ，ＣＵ，ＳＩ，Ｗ）、中間転写装置３０、二次転写装置４０、定着装置５０等が始動する。
【００９０】
そして、透明トナー（ＣＴ）、カスタムカラー（ＣＵ）のトナー、銀色（ＳＩ）のトナー及び白色（Ｗ）のトナーの作像装置２０（ＣＴ，ＣＵ，ＳＩ，Ｗ）のうち、少なくとも１つ以上の作像装置において、それぞれ対応する色のトナー像が形成される。
【００９１】
続いて、作像装置２０（ＣＴ，ＣＵ，ＳＩ，Ｗ）の感光体ドラム２１上に形成された色のトナー像が一次転写位置Ｔ１まで搬送されると、一次転写装置２５が、その色のトナー像を中間転写装置３０の矢印Ｂで示す方向に回転する中間転写ベルト３１に対して一次転写させる。
【００９２】
続いて、中間転写装置３０では、中間転写ベルト３１の回転により一次転写されたトナー像を保持して二次転写位置Ｔ２まで搬送する。一方、外部給紙装置９０では、作像動作に合わせて記録用紙６を補助給紙搬送路９３を介して給紙搬送路６７に送り出す。給紙搬送路６７では、レジストロールとしての用紙搬送ロール対６６が記録用紙６を転写時期に合わせて二次転写位置Ｔ２に送り出して供給する。
【００９３】
二次転写位置Ｔ２においては、二次転写ロール４１が、中間転写ベルト３１上のトナー像を記録用紙６に一括して二次転写させる。また、二次転写が終了した後の中間転写装置３０では、ベルト清掃装置３８が、二次転写後の中間転写ベルト３１の表面に残留したトナー等の付着物を取り除いて清掃する。
【００９４】
続いて、トナー像が二次転写された記録用紙６は、中間転写ベルト３１と二次転写ロール４１から剥離された後に３連の搬送ベルト６８，６９，７０によって定着装置５０まで搬送される。定着装置５０では、回転する加熱用回転体５１と加圧用回転体５２との間の接触部に二次転写後の記録用紙６を導入して通過させることにより、必要な定着処理（加熱及び加圧）をして未定着のトナー像を記録用紙６に定着させる。
【００９５】
定着処理が終了した後の記録用紙６は、排出搬送路７４を介して用紙排出ロール７３により、特色画像形成装置３の側面に設けられた排出収容部７２に排出される。
【００９６】
また、特色画像形成装置３において、記録用紙６の両面に画像を形成する場合は、片面に画像が形成された記録用紙６を排出収容部７２へ排出せずに、図示しない切替部材によって排出搬送路７４から反転搬送路７５へと搬送路が切り替えられることで、記録用紙６の両面に画像が形成される。
【００９７】
以上の動作が行われることにより、４色のトナー（Ｙ，Ｍ，Ｃ，Ｋ）からなるフルカラーのトナー像などが形成された記録用紙６の片面又は両面に、透明トナー（ＣＴ）、カスタムカラー（ＣＵ）のトナー、銀色（ＳＩ）トナー及び白色（Ｗ）トナーの少なくとも１色以上の特色トナー（ＣＴ，ＣＵ，ＳＩ，Ｗ）からなるトナー像が形成される。また、複数枚の画像形成動作の要求指令を受けた場合は、その枚数分だけ上記画像形成動作が同様に繰り返して行われる。
【００９８】
＜画像形成システムの特徴部分の構成＞
ところで、この実施の形態１に係る画像形成システム１では、図１に示されるように、例えば、カラー画像形成装置２において記録用紙６にフルカラー等の画像を形成した後、同一の記録用紙６に特色画像形成装置３で透明トナー（ＣＴ）や銀色トナー（ＳＩ）、カスタムカラートナー（ＣＵ）あるいは白色トナー（Ｗ）の少なくとも１色からなる特色トナーの画像が形成される。
【００９９】
特色画像形成装置３において透明トナー（ＣＴ）や銀色トナー（ＳＩ）、カスタムカラートナー（ＣＵ）あるいは白色トナー（Ｗ）からなる特色トナーの画像を形成するに際しては、図４に示されるように、カラー画像形成装置２でフルカラー等の画像が形成された記録用紙６を、ユーザーが特色画像形成装置３の外部給紙装置９０にセットした後、当該特色画像形成装置３において画像形成動作を開始する必要がある。
【０１００】
その際、カラー画像形成装置２でカラー等の画像が形成された記録用紙６を、ユーザーが特色画像形成装置３の外部給紙装置９０にセットして特色画像形成装置３で画像形成動作を開始する時期は、ユーザーが特色画像形成装置３の外部給紙装置９０に記録用紙６をセットするという動作が介在するため、ユーザー等の諸事情により区々となる。すなわち、カラー画像形成装置２でフルカラー等の画像を記録用紙６に形成した後、直ちに、特色画像形成装置３で同一の記録用紙６に画像形成動作が開始される場合もあれば、カラー画像形成装置２でフルカラー等の画像を形成してから、数分あるいは数１０分、更には数時間という時間が経過した後に特色画像形成装置３で画像形成動作が開始される場合もある。
【０１０１】
そのため、カラー画像形成装置２でフルカラー等の画像が形成された記録用紙６は、直ちに特色画像形成装置３で画像形成動作が開始される場合以外、特色画像形成装置３で画像形成動作が開始されるまでの間、カラー画像形成装置２や特色画像形成装置３等において放置された状態となる。
【０１０２】
すると、カラー画像形成装置２でフルカラー等の画像が形成された記録用紙６は、特色画像形成装置３で画像形成動作が開始されるまでの経過時間や環境条件等に応じて、当該記録用紙６の特性が変化する。経過時間とは、後述するようにカラー画像形成装置２からユーザーが特色画像形成装置３の外部給紙装置９０に記録用紙６をセットするという動作に際して、放置された放置時間や準備期間を含み、以下では、準備期間を含んで便宜上、放置時間Ｔとして説明する。
【０１０３】
ここで、記録用紙６の特性とは、記録用紙６に画像を形成する上で影響を与える特性をいう。具体的には、特色画像形成装置３では、中間転写ベルト３１上に形成されたトナー像を二次転写装置４０によって記録用紙６に二次転写することで画像が形成される。そのため、記録用紙６に画像を形成する上で影響を与える特性とは、記録用紙６に二次転写電圧（二次転写電界）を作用させた際にトナー像の転写を左右する記録用紙６の体積抵抗率や体積抵抗率に直接影響を与える含水率などを指す。
【０１０４】
図６は画像形成直後の普通紙からなる記録用紙６を高湿環境（８０％ＲＨ）下に放置した場合における放置時間Ｔと記録用紙６の含水率及び体積抵抗率の関係を示したグラフである。画像形成直後の記録用紙６は、カラー画像形成装置２の定着装置５０により加熱及び加圧される定着処理を受けているため、含水率は低い値となっている。
【０１０５】
図６から明らかなように、普通紙からなる記録用紙６を高湿環境下において放置した場合には、放置時間Ｔに応じて含水率が急激に上昇した後、所要の含水率の値に収斂するように変化することが判る。また、普通紙からなる記録用紙６の体積抵抗率は、放置時間Ｔに応じて含水率とは逆に急激に低下した後、所要の値に収斂するように変化する。
【０１０６】
その結果、カラー画像形成装置２でフルカラー等の画像が形成された記録用紙６に対して、特色画像形成装置３において特色トナーからなる画像を形成する場合には、当該特色画像形成装置３において放置時間Ｔにかかわらず一定の画像形成条件（二次転写電圧）で画像を形成すると、放置時間Ｔに応じた記録用紙６の体積抵抗率等の特性変化に対応することができない。
【０１０７】
よって、カラー画像形成装置２において記録用紙６にフルカラー等の画像を形成した直後に、特色画像形成装置３において特色トナーからなる画像を形成した場合など、記録用紙６は、カラー画像形成装置２で定着処理（加熱及び加圧処理）を既に受けており、含水率が大幅に低く体積抵抗率が高い状態にある。そのため、特色画像形成装置３においては、図７（ａ）に示されるように、二次転写装置４０に印加する二次転写バイアス電圧を通常の値に設定すると、体積抵抗率が高い状態にある記録用紙６に印加される二次転写電圧が不足する。
【０１０８】
その結果、特色画像形成装置３では、中間転写ベルト３１上に転写されたトナー像を記録用紙６に二次転写する際に、中間転写ベルト３１上に未転写トナーが残る転写不良を発生する虞れがある。
【０１０９】
一方、カラー画像形成装置２においてフルカラー等の画像を形成してから高湿環境下に記録用紙６を長時間放置した後、特色画像形成装置３において特色トナーからなる画像を形成した場合、記録用紙６は、高湿環境下に長時間放置されているため含水率が上昇し体積抵抗率が大幅に低下した状態となる。そのため、特色画像形成装置３においては、図７（ｂ）に示されるように、二次転写装置４０に印加する二次転写バイアス電圧を通常の値に設定すると、体積抵抗率が低下した状態にある記録用紙６に印加される二次転写電圧が過剰となる。
【０１１０】
その結果、特色画像形成装置３では、二次転写ニップ部より上流側に電界がはみ出し中間転写ベルト３１と記録用紙６間のギャップが大きい不安定な状態で転写を開始（トナーが空中を飛翔）し、像乱れを発生する虞れがあるなど、さまざまな不具合が発生する（以下、一例としてこの現象を用いてメカニズムを説明し、場合によってＧＡＰ転写と表現する。）。
【０１１１】
そこで、この実施の形態１に係る画像形成システム１では、カラー画像形成装置２で画像が形成されてから特色画像形成装置３で画像が形成されるまでの記録用紙６の特性変化に関する情報に応じて、特色画像形成装置３の画像形成動作を制御する制御手段としての機能をサーバー装置４が備えるように構成されている。特色画像形成装置３の画像形成動作の一例としては、二次転写バイアス電圧が挙げられる。
【０１１２】
ここで、記録用紙６の特性変化に関する情報とは、記録用紙６に画像を形成する上で影響を与える特性（体積抵抗率など）の変化に関係する情報をいう。記録用紙６の特性変化に関する情報の一例としては、記録用紙６の放置時間Ｔが挙げられる。ただし、この記録用紙６の特性変化に関する情報は、直接計測される記録用紙６の放置時間Ｔに限定されるものではなく、記録用紙６に対するカラー画像形成装置２の画像形成動作の終了時刻及び特色画像形成装置３の画像形成動作の開始時刻を、記録用紙６の一枚目に付加されるヘッダー用紙に記録し、当該ヘッダー用紙に記録された画像形成動作の終了時刻及び開始時刻を画像読取装置で読み取ることにより間接的に求められる放置時間や、ユーザーが操作部の入力部を操作することによって入力される放置時間なども含むものである。
【０１１３】
図８はこの実施の形態１に係る画像形成システム１におけるサーバー装置４を示すブロック図である。
【０１１４】
サーバー装置４は、図８に示されるように、制御手段の一例としての制御部４０１と、記憶部４０２と、操作部４０３と、通信部４０４とを備えている。
【０１１５】
制御部４０１は、ＣＰＵ４０１ａやＲＡＭ４０１ｂを有している。制御部４０１は、記憶部４０２に記憶されたプログラムを実行し、記憶部４０２や操作部４０３、あるいは通信部４０４を制御するとともに、通信部４０４を介してカラー画像形成装置２及び特色画像形成装置３を制御する。
【０１１６】
また、制御部４０１は、ソフトウエアやハードウエア等からなる計時手段の一例としての時計機能を備えている。制御部４０１は、カラー画像形成装置２及び特色画像形成装置３においてそれぞれ画像形成動作を開始した開始時刻及び画像形成動作を終了した終了時刻を計時する。計時されたカラー画像形成装置２及び特色画像形成装置３における画像形成動作の開始時刻及び終了時刻は、ＲＡＭ４０１ｂや記憶部４０２等に記憶される。
【０１１７】
カラー画像形成装置２において画像形成動作を開始した開始時刻は、制御部４０１がカラー画像形成装置２に対して画像形成動作の開始信号を出力した時刻や、カラー画像形成装置２の操作部２０３の入力部２０３ａに設けられた画像形成動作の開始ボタンが操作された時刻などとして求められる。また、カラー画像形成装置２において画像形成動作を終了した終了時刻は、当該カラー画像形成装置２において一連の画像形成動作における最後の記録用紙６が排出収容部７２に排出された時刻として計時される。ここで、最後の記録用紙６が排出収容部７２に排出された時刻としては、例えば、カラー画像形成装置２の制御部２０１が最後の記録用紙６を排出する排出シーケンスを終了した時刻、つまり用紙排出ロール７３の駆動を停止した時刻として求められる。カラー画像形成装置２における画像形成動作の開始時刻及び終了時刻は、サーバー装置４から出力された信号に基づくものを除いて、当該カラー画像形成装置２の制御部２０１からサーバー装置４に送信される。また、終了時刻は、開始時刻と画像形成動作に要する時刻をジョブ数から換算される見込み終了時刻を用いても良い。
【０１１８】
また、特色画像形成装置３において画像形成動作を開始した開始時刻は、カラー画像形成装置２で画像が形成された記録用紙６が外部給紙装置９０の用紙収容体９１に収容された状態で、サーバー装置４から特色画像形成装置３に画像形成動作の開始信号が送信された時刻や、特色画像形成装置３の操作部３０３の入力部３０３ａに設けられた画像形成動作の開始ボタンが操作された時刻などとして求められる。また、特色画像形成装置３において画像形成動作を終了した終了時刻は、当該特色画像形成装置３において一連の画像形成動作における最後の記録用紙６が排出収容部７２に排出された時刻として計時される。ここで、最後の記録用紙６が排出収容部７２に排出された時刻としては、例えば、特色画像形成装置３の制御部３０１が最後の記録用紙６を排出する排出シーケンスを終了した時刻、つまり用紙排出ロール７３の駆動を停止した時刻として求められる。特色画像形成装置３における画像形成動作の開始時刻及び終了時刻は、サーバー装置４から出力された信号に基づくものを除いて、当該特色画像形成装置３の制御部３０１からサーバー装置４に送信される。
【０１１９】
制御部４０１は、次に示すように、環境情報取得手段、放置時間算出手段、二次転写電圧算出手段及び二次転写電圧制御手段としての機能を有する。
【０１２０】
環境情報取得手段
環境情報取得手段は、特色画像形成装置３に設置された環境センサ９５の検知結果である湿度情報を取得する機能である。
【０１２１】
放置時間算出手段
放置時間算出手段は、ＲＡＭ４０１ｂ又は記憶部４０２に記憶されたカラー画像形成装置２における画像形成動作の終了時刻と、特色画像形成装置３における画像形成動作の開始時刻に基づいて、開始時刻から終了時刻を減算することにより放置時間Ｔを算出する。放置時間Ｔは、例えば、秒を単位として計測されるが、時分を単位としても勿論良い。
【０１２２】
二次転写バイアス電圧算出手段
カラー画像形成装置２で画像が形成された記録用紙６は、特色画像形成装置３で画像を形成するにあたり、当該記録用紙６が放置された放置時間Ｔ及び放置された環境の湿度に応じて特色画像形成装置３の二次転写装置４０に印加すべき適正な二次転写バイアス電圧の値が異なる。なお、ここで、二次転写装置４０に印加される二次転写バイアス電圧とは、二次転写装置４０を構成するベルト支持ロール３６に印加される電圧である。
【０１２３】
そこで、二次転写バイアス電圧算出手段は、環境情報取得手段によって取得された湿度情報と、放置時間算出手段によって取得された放置時間Ｔとに基づいて適正な二次転写バイアス電圧を算出する。
【０１２４】
適正な二次転写バイアス電圧を算出するには、図９に示されるような特性曲線が用いられる。図９は、記録用紙６を通常湿度下に放置した場合に、放置時間Ｔに応じて記録用紙６の体積抵抗率がどのように変化するかを示した体積抵抗率の特性曲線５０１と、記録用紙６の体積抵抗率に応じて二次転写装置４０に印加すべき適正な二次転写バイアス電圧を示す二次転写バイアス電圧の特性曲線５０２の双方を示したものである。記録用紙６の体積抵抗率が高い場合には、二次転写バイアス電圧が不足するのを補うため、二次転写バイアス電圧を相対的に高い値に設定する必要がある。一方、記録用紙６の体積抵抗率が低い場合には、二次転写バイアス電圧が過剰となりＧＡＰ転写が発生するのを抑制するため、二次転写バイアス電圧を相対的に低い値に設定する必要がある。体積抵抗率の特性曲線５０１と二次転写バイアス電圧の特性曲線５０２は、放置時間Ｔに対して略同一の変化特性を有している。
【０１２５】
また、記録用紙６の放置時間Ｔに対する二次転写バイアス電圧の特性曲線５０２は、環境条件によって異なる。そのため、この実施の形態では、図１０に示されるように、通常湿度環境に対する特性曲線５０２Ｎ以外に、高湿環境並びに低湿環境に対応した特性曲線５０２Ｈ，５０２Ｌを備えている。
【０１２６】
ここで、高湿環境とは、環境センサ９５によって検知された湿度が７０％ＲＨを超える場合をいい、通常湿度環境とは、環境センサ９５によって検知された湿度が４０％ＲＨ以上７０％ＲＨ以下の場合をいい、低湿環境とは、環境センサ９５によって検知された湿度が４０％ＲＨ未満の場合をいう。
【０１２７】
二次転写バイアス電圧算出手段は、図１０に示されるように、環境情報取得手段によって取得された湿度情報に基づいて、高湿環境、通常湿度環境あるいは低湿環境のいずれであるかを判別し、記憶部４０２に記憶された３つの特性曲線５０２Ｎ，５０２Ｈ，５０２Ｌから判別された湿度環境に応じた特性曲線を選択する。
【０１２８】
二次転写バイアス電圧算出手段は、図１１に示されるように、選択された特性曲線５０２（５０２Ｈ，５０２Ｌ）に基づいて二次転写バイアス電圧を算出する。特性曲線５０２は、放置時間Ｔを複数（又は単数）の閾値Ｔ１，Ｔ２によって複数の領域に区分し、各区分毎に異なる直線Ｌ１〜Ｌ３で近似される。放置時間Ｔの第１区分においては、特性曲線５０２（５０２Ｈ，５０２Ｌ）が第１の直線Ｌ１で近似され、第２区分においては、特性曲線５０２（５０２Ｈ，５０２Ｌ）が第２の直線Ｌ２で近似され、第３区分においては、特性曲線５０２（５０２Ｈ，５０２Ｌ）が第３の直線Ｌ３で近似される。特性曲線５０２（５０２Ｈ，５０２Ｌ）は、第１乃至第３の区分に応じて第１乃至第３の直線Ｌ１〜Ｌ３を示す回帰式として記憶部４０２に予め記憶されている。なお、横軸の放置時間Ｔは、例えば、秒を単位とした対数目盛が使用される。図９における縦軸の体積抵抗率は、体積抵抗率の対数をとった値ＬｏｇΩｃｍが使用される。
【０１２９】
図１２は、高湿環境における特性曲線５０２Ｈを示したグラフである。特性曲線５０２Ｈは、放置時間Ｔを複数（又は単数）の閾値ＴＨ１，ＴＨ２，ＴＨ３によって複数の領域に区分し、各区分毎に異なる４本の直線ＬＨ１〜ＬＨ４で近似している。特性曲線５０２Ｈは、第１乃至第４の区分に応じて第１乃至第４の直線ＬＨ１〜ＬＨ４を示す回帰式として記憶部４０２に予め記憶されている。
【０１３０】
図１３は、低湿環境における特性曲線５０２Ｌを示したグラフである。低湿環境における特性曲線５０２Ｌは、放置時間Ｔに応じて記録用紙６の含水率が更に低下して体積抵抗率が上昇し、適正な二次転写バイアス電圧が上昇する傾向を示す。特性曲線５０２Ｌは、放置時間Ｔを複数（又は単数）の閾値ＴＬ１，ＴＬ２によって複数の領域に区分し、各区分毎に異なる３本の直線ＬＬ１〜ＬＬ３で近似している。特性曲線５０２Ｌは、第１乃至第３の区分に応じて第１乃至第３の直線ＬＬ１〜ＬＬ３を示す回帰式として記憶部４０２に予め記憶されている。
【０１３１】
二次転写バイアス電圧制御手段
二次転写バイアス電圧制御手段は、二次転写バイアス電圧算出手段により算出されてＲＡＭ４０１ｂに一時的に記憶された二次転写バイアス電圧Ｖに基づいて、当該二次転写バイアス電圧Ｖを特色画像形成装置３のベルト支持ロール３６に印加するよう二次転写バイアス電圧を出力する高圧電源３０６を制御する。
【０１３２】
＜画像形成システムの動作＞
この実施の形態１に係る画像形成システム１では、次のようにして、カラー画像形成装置２及び特色画像形成装置３における画像形成動作が実行される。
【０１３３】
ここでは、カラー画像形成装置２において記録用紙６に画像を形成した後、当該記録用紙６を特色画像形成装置３の外部給紙装置９０にセットし、特色画像形成装置３によってカラー画像形成装置２では形成することができない白色、金や銀等の金属色、あるいはカスタムカラーなどの特色トナーからなる画像を形成する場合の動作について説明する。
【０１３４】
ユーザーは、図示しないパーソナルコンピュータ等を操作して、カラー画像形成装置２及び特色画像形成装置３において形成すべき画像情報を画像形成条件ととともにサーバー装置４に送信する。画像情報及び画像形成条件の送信は、カラー画像形成装置２及び特色画像形成装置３に対して個別に行っても良い。
【０１３５】
画像形成条件としては、例えば、カラー画像形成装置２において画像を形成する記録用紙６の種類、画像形成枚数、片面モードや両面モード、フルカラーモードあるいはモノクロモードなどが挙げられる。また、特色画像形成装置３における画像形成条件としては、例えば、特色画像形成装置３において画像を形成する記録用紙６の種類、画像形成枚数、片面モードや両面モード、特色トナーの指定などが挙げられる。
【０１３６】
なお、カラー画像形成装置２において画像を形成した記録用紙６に対して、特色画像形成装置３で特色トナーからなる画像を形成する場合には、特色画像形成装置３において記録用紙６の種類や画像形成枚数の設定などは不要である。
【０１３７】
サーバー装置４は、カラー画像形成装置２及び特色画像形成装置３において形成すべき画像情報及び画像形成条件を受信すると、カラー画像形成装置２に対して当該カラー画像形成装置２で形成すべき画像情報及び画像形成条件を送信する。
【０１３８】
カラー画像形成装置２の制御装置２００は、サーバー装置４又はユーザーのパーソナルコンピュータ等から画像情報及び画像形成条件を受信すると、所要の記録用紙６に対してフルカラー等の画像形成動作を開始する。
【０１３９】
そして、カラー画像形成装置２は、記録用紙６へのフルカラー等の画像形成動作が終了すると、カラー画像形成装置２の制御部２０１は、サーバー装置４に対して画像形成動作が終了した旨を通知する。
【０１４０】
サーバー装置４の制御部４０１は、カラー画像形成装置２の制御装置２００から画像形成動作の終了通知を受信すると、画像形成動作の終了時刻を計時してＲＡＭ４０１ｂ又は記憶部４０２に記憶する。また、サーバー装置４の制御部４０１は、当該サーバー装置４の操作部４０３の表示部４０３ａ及びカラー画像形成装置２の操作部２０３の表示部２０３ａの少なくとも一方に、フルカラー等の画像が形成された記録用紙６を特色画像形成装置３の外部給紙装置９０にセットし、特色画像形成装置３において画像形成動作を開始するようユーザーに促すメッセージを表示する。
【０１４１】
ユーザーは、カラー画像形成装置２において記録用紙６にフルカラー等の画像を形成する動作が終了すると、フルカラー等の画像が形成された記録用紙６を特色画像形成装置３の外部給紙装置９０に収容（セット）し、特色画像形成装置３の操作部３０３の入力部３０３ａ等を操作することにより画像形成動作の開始を指示する。
【０１４２】
特色画像形成装置３の制御部３０１は、サーバー装置４又はユーザーのパーソナルコンピュータ等から画像情報及び画像形成条件を受信した後、画像形成動作の開始指示を受けて画像形成動作を開始する。
【０１４３】
このとき、カラー画像形成装置２でフルカラー等の画像が形成された記録用紙６を、ユーザーが特色画像形成装置３の外部給紙装置９０にセットして特色画像形成装置３で画像形成動作を開始する時期は、ユーザー等の諸事情により区々となる。
【０１４４】
カラー画像形成装置２でフルカラー等の画像を記録用紙６に形成した後、直ちに、特色画像形成装置３で同一の記録用紙６に画像形成動作が開始される場合もあれば、カラー画像形成装置２でフルカラー等の画像を形成してから、数分あるいは数１０分、更には数時間という時間が経過した後に特色画像形成装置３で画像形成動作が開始される場合もある。そのため、カラー画像形成装置２でフルカラー等の画像が形成された記録用紙６は、直ちに特色画像形成装置３で画像形成動作が開始される場合以外、特色画像形成装置３で画像形成動作が開始されるまでの間、カラー画像形成装置２や特色画像形成装置３等において放置された状態となる。
【０１４５】
特色画像形成装置３の制御部３０１は、外部給紙装置９０にセットされた記録用紙６に対して画像形成動作を開始するにあたり、サーバー装置４の制御部４０１に対して画像形成動作を開始する旨を通知する。
【０１４６】
サーバー装置４の制御部４０１は、特色画像形成装置３の制御部３０１から画像形成動作を開始する旨の通知を受信すると、画像形成動作の開始時刻を計時してＲＡＭ４０１ｂ又は記憶部４０２に記憶する。
【０１４７】
その後、サーバー装置４の制御部４０１は、当該制御部４０１が放置時間算出手段として機能し、カラー画像形成装置２における画像形成動作の終了時刻と、特色画像形成装置３における画像形成動作の開始時刻に基づいて、開始時刻から終了時刻を減算することにより記録用紙６の放置時間Ｔを算出する。
【０１４８】
また、サーバー装置４の制御部４０１は、特色画像形成装置３が設置された環境情報として、環境センサ９５の検知結果である湿度情報を取得する。
【０１４９】
すると、サーバー装置４の制御部４０１は、算出された放置時間Ｔと、環境センサ９５から取得された湿度情報に基づいて、特色画像形成装置３の二次転写装置４０に印加すべき二次転写バイアス電圧を算出する。
【０１５０】
サーバー装置４の制御部４０１は、図１０に示されるように、環境センサ９５から取得した湿度情報に基づいて、高湿環境、通常湿度環境あるいは低湿環境のいずれであるかを判別し、記憶部４０２に記憶された３つの特性曲線５０２Ｎ，５０２Ｈ，５０２Ｌから判別された湿度環境に応じた特性曲線を選択する。
【０１５１】
いま、サーバー装置４の制御部４０１は、湿度環境が高湿環境であると判別すると、記憶部４０２に記憶された特性曲線のうち高湿環境に対応した特性曲線５０２Ｈを選択する。そして、サーバー装置４の制御部４０１は、図１４に示されるように、選択された特性曲線５０２Ｈに基づいて二次転写装置４０に印加すべき二次転写バイアス電圧を算出する。
【０１５２】
その際、サーバー装置４の制御部４０１は、算出された記録用紙６の放置時間Ｔに応じて、放置時間Ｔが閾値ＴＨ１，ＴＨ２，ＴＨ３に対して特性曲線５０２Ｈのどの区分に属するかを判別し、判別された区分に対応した第１乃至第４の直線ＬＨ１〜ＬＨ４の回帰式を記憶部４０２から読み出す。
【０１５３】
例えば、サーバー装置４の制御部４０１は、算出された記録用紙６の放置時間Ｔ１０が約１時間と大幅に長い時間である場合、放置時間Ｔが特性曲線５０２Ｈの第４の区分に属すると判定し、第４の区分に対応した第４の直線ＬＨ４の回帰式を記憶部４０２から読み出す。
【０１５４】
そして、サーバー装置４の制御部４０１は、算出された記録用紙６の放置時間Ｔに基づいて第４の直線ＬＨ４の回帰式から特色画像形成装置３の二次転写装置４０に印加すべき二次転写バイアス電圧Ｖの値ＶＨ４を算出し、ＲＡＭ４０１ｂに一時的に記憶する。
【０１５５】
さらに、サーバー装置４の制御部４０１は、ＲＡＭ４０１ｂに一時的に記憶された二次転写バイアス電圧ＶＨ４に基づいて、当該二次転写バイアス電圧ＶＨ４を特色画像形成装置３のベルト支持ロール３６に印加するよう二次転写電圧を出力する高圧電源３０６を制御する。
【０１５６】
その際、サーバー装置４の制御部４０１は、特色画像形成装置３の制御部３０１に対して算出された二次転写バイアス電圧ＶＨ４をベルト支持ロール３６に印加するよう制御する制御信号を送信する。
【０１５７】
そのため、特色画像形成装置３の二次転写装置４０には、高湿環境下において長時間放置されて体積抵抗率が大幅に低下した記録用紙６に対して、体積抵抗率の低下に対応した適正な二次転写バイアス電圧ＶＨ４が印加される。
【０１５８】
その結果、特色画像形成装置３では、図１５に示されるように、二次転写ニップ部寄り上流に電界がはみ出し中間転写ベルト３１と記録用紙６間のギャップが大きい不安定な状態で転写を開始（トナーが空中を飛翔）し、像乱れを発生することが回避される。
【０１５９】
一方、サーバー装置４の制御部４０１は、図１４に示されるように、算出された記録用紙６の放置時間Ｔ１１が１分程度と大幅に短い時間である場合、放置時間Ｔ１１が特性曲線５０２Ｈの第１の区分に属すると判定し、第１の区分に対応した第１の直線Ｌ１の回帰式を記憶部４０２から読み出す。
【０１６０】
そして、サーバー装置４の制御部４０１は、算出された記録用紙６の放置時間Ｔに基づいて第１の直線Ｌ１の回帰式から特色画像形成装置３の二次転写装置４０に印加すべき二次転写バイアス電圧の値ＶＨ１を算出し、ＲＡＭ４０１ｂに一時的に記憶する。
【０１６１】
さらに、サーバー装置４の制御部４０１は、ＲＡＭ４０１ｂに一時的に記憶された二次転写バイアス電圧ＶＨ１に基づいて、当該二次転写バイアス電圧ＶＨ１を特色画像形成装置３のベルト支持ロール３６に印加するよう二次転写電圧を出力する高圧電源３０６を制御する。
【０１６２】
そのため、特色画像形成装置３の二次転写装置４０には、高湿環境下においても放置時間が１分程度と大幅に短く体積抵抗率が高い状態にある記録用紙６に対して、高い体積抵抗率に対応した適正な二次転写バイアス電圧が印加される。
【０１６３】
その結果、特色画像形成装置３では、図１６に示されるように、中間転写ベルト３１上に転写されたトナー像を記録用紙６に二次転写する際に、二次転写装置４０に十分に高い二次転写バイアス電圧ＶＨ１が印加され、中間転写ベルト３１上に未転写トナーが残る転写不良を発生することが抑制される。
【０１６４】
このように、上記実施の形態に係る画像形成システム１では、図１に示されるように、カラー画像形成装置２及び特色画像形成装置３で同一の記録用紙６に画像を形成するにあたり、カラー画像形成装置２で画像が形成されてから特色画像形成装置３で画像を形成するまでの記録用紙６の放置時間Ｔ及び環境条件を考慮しない場合に比較して、記録用紙６に形成される画像の画質を向上させることができる。
【０１６５】
[実施の形態２]
図１７及び図１８は、実施の形態２に係る画像形成システムを示すものである。この実施の形態２では、制御手段が、第１画像形成装置における記録媒体の種類に応じて第２画像形成装置の画像形成条件を決定するように構成されている。更に説明すると、この実施の形態２では、サーバー装置が放置時間Ｔに応じて二次転写バイアス電圧を制御する際に、記録用紙６の種類に応じて画像形成条件の一例としての二次転写バイアス電圧が異なるように制御する。
【０１６６】
すなわち、この実施の形態２では、サーバー装置４の制御部４０１が記録用紙６の種類を判別する判別手段としての機能を備えている。サーバー装置４の制御部４０１は、ユーザーが図示しないパーソナルコンピュータ等を操作することによって、当該サーバー装置４に送信されるカラー画像形成装置２及び特色画像形成装置３において形成すべき画像形成条件として、記録用紙６の種類を指定する情報を取得して判別する。
【０１６７】
記録用紙６の種類としては、図１７及び図１８に示されるように、普通紙、コート紙Ａ、コート紙Ｂ、厚紙、薄紙あるいは黒紙等が挙げられる。コート紙Ａは、基材層の表裏両面をコーティングした用紙である。コート紙Ｂは、基材層の表面のみをコーティングした用紙である。また、普通紙は、坪量が５２ｇ／ｍ２以上１０５ｇ／ｍ２以下の用紙をいい、厚紙は、坪量が１０５ｇ／ｍ２を超え且つ３５０ｇ／ｍ２以下の用紙をいい、薄紙は、坪量が５２ｇ／ｍ２未満の用紙をいう。
【０１６８】
コート紙Ａは、基材層の表裏両面がコーティングされており、普通紙に比較して吸湿し難い。そのため、コート紙Ａは、放置時間Ｔに応じて記録用紙６が吸湿して体積抵抗率が低下する割合が普通紙に比較して大幅に小さい。また、コート紙Ｂは、基材層の表面のみがコーティングされており、普通紙に比較して吸湿し難いが、コート紙Ａよりは吸湿し易い特性を有している。そのため、コート紙Ｂは、放置時間Ｔに応じて記録用紙６が吸湿して体積抵抗率が低下する割合がコート紙Ａに比較して大きく且つ普通紙より小さい。
【０１６９】
同様に、厚紙は、普通紙に比較して坪量が大きく、吸湿した場合における体積抵抗率が低下する割合が普通紙よりも小さい。一方、薄紙は、普通紙に比較して坪量が小さく、吸湿した場合における体積抵抗率が低下する割合が普通紙よりも大きい。
【０１７０】
さらに、黒紙は、用紙を構成する繊維そのものが黒色である。黒紙は、黒色の顔料としてカーボンブラック等を含んでおり、体積抵抗率が普通紙等に比較して大幅に低く、且つ放置時間Ｔにかかわらず体積抵抗率が略一定である。
【０１７１】
図１７及び図１８は、各種の記録用紙６を通常湿度環境（５５％ＲＨ）下に放置した場合における放置時間Ｔと、各種の記録用紙６にトナー像を二次転写する際における適正な二次転写バイアス電圧との関係である特性曲線を示すグラフである。
【０１７２】
各種の記録用紙６に対応した特性曲線は、上述した実施の形態１と同様に回帰式としてサーバー装置４の記憶部４０２に予め記憶されている。
【０１７３】
サーバー装置４の制御部４０１は、ユーザーが指摘した記録用紙６に対応した特性曲線を記憶部４０２から読み出して、記録用紙６の種類及び放置時間Ｔに応じて特色画像形成装置３の二次転写装置４０に印加する二次転写バイアス電圧を制御する。
【０１７４】
この実施の形態２では、記録用紙６の種類に応じて二次転写バイアス電圧を算出する際の特性曲線５０２が異なるため、記録用紙６の吸湿特性に基づく体積抵抗率の変化に応じて二次転写バイアス電圧を適正に制御することができる。
【０１７５】
このように、上記実施の形態に係る画像形成システム１では、記録用紙６の種類を考慮しない場合に比較して、記録用紙６の種類が異なる場合においても当該記録用紙６に形成される画像の画質を向上させることができる。
【０１７６】
[実施の形態３]
図１９は、実施の形態３に係る画像形成システムを示すものである。
【０１７７】
この実施の形態３では、カラー画像形成装置２において当該カラー画像形成装置２における画像形成動作の内容の一例としての記録用紙６の片面に画像を形成する場合と記録用紙６の両面に画像を形成する場合とで、放置時間Ｔに応じて二次転写装置４０に印加する二次転写バイアス電圧を異ならせるよう構成されている。
【０１７８】
すなわち、この実施の形態３では、図１９に示されるように、第１の画像形成装置であるカラー画像形成装置２において記録用紙６の片面に画像を形成する場合と記録用紙６の両面に画像を形成する場合とで、放置時間Ｔに対して二次転写バイアス電圧を変化させる特性曲線５０２Ｄ，５０２Ｓを異ならせている。
【０１７９】
カラー画像形成装置２で画像を形成する記録用紙６の種類が同一であっても、カラー画像形成装置２において、記録用紙６の片面に画像を形成する場合と、記録用紙６の両面に画像を形成する場合では、記録用紙６が定着装置５０を通過することにより、当該定着装置５０によって加熱並びに加圧される回数が異なる。
【０１８０】
記録用紙６の両面に画像を形成する場合は、記録用紙６が定着装置５０を２回通過するため、カラー画像形成装置２における画像形成直後の記録用紙６は、図１９に示されるように、片面に画像を形成する場合に比較して含水率が低く、体積抵抗率が高くなっている。
【０１８１】
その後、記録用紙６の体積抵抗率は、放置時間Ｔの経過とともに低下して同じ値に収斂する。したがって、カラー画像形成装置２において、記録用紙６の片面に画像を形成する場合と、記録用紙６の両面に画像を形成する場合では、画像形成直後の記録用紙６の体積抵抗率に応じて適切な二次転写バイアス電圧の値が異なる。
【０１８２】
そこで、この実施の形態３では、図１９に示されるように、サーバー装置４の記憶部４０２にカラー画像形成装置２において記録用紙６の片面に画像を形成する場合に対応した特性曲線５０２Ｓと、記録用紙６の両面に画像を形成する場合に対応した特性曲線５０２Ｄとを有している。
【０１８３】
サーバー装置４の制御部４０１は、カラー画像形成装置２において、記録用紙６の片面に画像を形成するか、又は記録用紙６の両面に画像を形成するかを判別し、記録用紙６の片面又は両面に画像を形成したかに応じて、異なる特性曲線５０２Ｓ，５０２Ｄに基づいて適正な二次転写バイアス電圧の値を算出して、特色画像形成装置３の二次転写装置４０に印加するよう構成されている。
【０１８４】
この実施の形態３では、カラー画像形成装置２において記録用紙６の片面又は両面に画像形成を行う場合のいずれでも、記録用紙６の含水率の変化に伴う体積抵抗率の変化に対応することができ、特色画像形成装置３において記録用紙６に画像形成を行う際に画質を向上させることが可能となる。
【０１８５】
[実施の形態４]
図２０は、実施の形態４に係る画像形成システムを示すものである。
【０１８６】
特色画像形成装置３では、二次転写装置４０に二次転写バイアス電圧を印加するにあたり、特色画像形成装置３で使用される電圧調整手段の一例としての二次転写バイアス電圧用の高圧電源３０６に応じて、二次転写バイアス電圧の制御可能な範囲が異なる。すなわち、高圧電源３０６によっては、制御可能な二次転写バイアス電圧の上限値と下限値が限定されている。
【０１８７】
そのため、特色画像形成装置３では、高圧電源３０６の二次転写バイアス電圧の制御可能な範囲に応じて、特色画像形成装置３において二次転写バイアス電圧を制御する際に、二次転写バイアス電圧の電圧値が高圧電源３０６の制御可能な範囲外となる場合がある。
【０１８８】
そこで、この実施の形態４では、図２０に示されるように、サーバー装置４の制御部４０１又は特色画像形成装置３の制御部３０１によって、特色画像形成装置３における高圧電源３０６の二次転写バイアス電圧の制御が可能な範囲に応じて、特色画像形成装置３の画像形成動作を制御するよう構成されている。特色画像形成装置３の画像形成動作を制御する内容としては、例えば、二次転写バイアス電圧を制御する際に算出された二次転写バイアス電圧の値が制御可能な範囲であるか否かの可否を判断して、算出された二次転写バイアス電圧の値が制御可能な範囲となるまで、特色画像形成装置３において画像形成動作の開始を禁止したり、算出された二次転写バイアス電圧の値が制御可能な範囲となった場合に自動的に画像形成動作を開始する場合が挙げられる。
【０１８９】
そして、サーバー装置４の制御部４０１は、算出された二次転写バイアス電圧の値が高圧電源３０６の制御可能な範囲となったことを判別すると、特色画像形成装置３の操作部４０３の表示部４０３ｂにおいてユーザーに対して画像形成動作が可能である旨を報知するメッセージを表示する。
【０１９０】
その後、ユーザーが特色画像形成装置３の操作部４０３の入力部４０３ａを操作することによって、画像形成動作を開始する。なお、サーバー装置４の制御部４０１は、算出された二次転写バイアス電圧の値が高圧電源３０６の制御可能な範囲となったことを判別すると、特色画像形成装置３において画像形成動作を自動的に開始しても良い。
【０１９１】
また、サーバー装置４の制御部４０１は、再度、算出された二次転写バイアス電圧の値が高圧電源３０６の制御不可能な範囲となったことを判別すると、特色画像形成装置３の操作部４０３の表示部４０３ｂにおいて、ユーザーに対して画像形成動作を禁止する旨を報知するメッセージを表示する。
【０１９２】
その際、サーバー装置４の制御部４０１は、高圧電源３０６が制御可能な二次転写バイアス電圧の下限値が、図７（ｂ）に示されるように、ＧＡＰ転写により発生する像乱れが画質上問題とならないレベルであれば、ユーザーに対して画像形成動作を許可するように構成しても良い。
【０１９３】
この実施の形態では、二次転写バイアス電圧の制御可能な範囲が限られている場合においても、サーバー装置４の制御部４０１は、特色画像形成装置３において画像形成動作が可能か否かを判別して、二次転写バイアス電圧の制御可能な範囲外である場合に、特色画像形成装置３において画像形成動作が実行されて、記録用紙６に形成される画像の画質が低下することが回避される。
【０１９４】
[実施の形態５]
図２１は、実施の形態５に係る画像形成システムの特色画像形成装置を示すものである。
【０１９５】
この実施の形態６では、カラー画像形成装置２で画像が形成されてから特色画像形成装置３で画像が形成されるまでの記録媒体の特性変化に関する情報として、カラー画像形成装置２から送信される終了時刻を用いるのではなく、カラー画像形成装置２において記録用紙６に画像を形成する際に、図２２に示されるように、記録用紙６の１枚目に付加されるヘッダー用紙６０１を備え、当該ヘッダー用紙にカラー画像形成装置２における画像形成動作の終了時刻を記録するように構成したものである。
【０１９６】
カラー画像形成装置２において複数枚の記録用紙６にフルカラー等の画像を形成する場合には、記録用紙６の１枚目に付加されるヘッダー用紙６０１に画像を形成する時刻と、最終枚の記録用紙６に画像を形成する時刻が異なる。この場合、カラー画像形成装置２は、最終枚の記録用紙６に画像を形成する終了時刻を予測して、ヘッダー用紙６０１に終了時刻を記録する。
【０１９７】
ヘッダー用紙６０１に記録する終了時刻としては、終了時刻を時間、分及び秒としてそのまま記録しても良いし、画像読取装置で読取可能な時刻であれば、バーコード等の記号として記録しても良い。
【０１９８】
また、特色画像形成装置３は、図２１に示されるように、外部給紙装置９０から供給されるヘッダー用紙の画像を読み取るインライン型の画像読取装置９６を備えている。
【０１９９】
特色画像形成装置３の制御部３０１は、画像読取装置９６で読み取られた文字情報等を認識する文字認識機能を有している。
【０２００】
この実施の形態５では、カラー画像形成装置２がヘッダー用紙６０１に画像形成動作の終了時刻を記録すればよく、記録用紙６の放置時間Ｔは、特色画像形成装置３側でヘッダー用紙６０１の終了時刻を読み取るとともに、特色画像形成装置３における画像形成動作の開始時刻で管理することができ、サーバー装置４の制御プログラムを簡略化することができる。
【０２０１】
[実施の形態６]
図２３は、実施の形態６に係る画像形成システムを示すものである。
【０２０２】
この実施の形態６では、第１画像形成装置で画像が形成されてから第２画像形成装置で画像が形成されるまでの記録媒体の特性変化に関する情報として、記録媒体が放置された放置時間を用いるが、サーバー装置が放置時間を検出するのではなく、ユーザーが放置時間を直接入力するように構成されている。
【０２０３】
すなわち、この実施の形態６では、図２３に示されるように、特色画像形成装置３において画像形成動作を開始するにあたり、ユーザーがサーバー装置４の操作部４０３又は特色画像形成装置３の操作部３０３等を操作することによって放置時間を直接入力するように構成されている。
【０２０４】
サーバー装置４の操作部４０３は、図２３に示されるように、その表示部４０３ｂが入力部４０３ａとしての機能を備えたタッチパネル等から構成されている。サーバー装置４の操作部４０３は、ユーザーが放置時間の入力機能４１０を選択することにより、図２３（ｂ）に示されるように、放置時間の入力画面４１１が表示部４０３ｂに表示される。ユーザーは、放置時間の入力画面４１１において、テンキー４１２を操作して放置時間４１３を入力する。その際、ユーザーは、入力した放置時間に設置する場合は設定キー４１５を、入力した放置時間に解除する場合はクリアキー４１４を操作する。
【０２０５】
この実施の形態６では、ユーザーが記録用紙６の放置時間をサーバー装置４の操作部４０３等を操作することによって放置時間を直接入力すればよく、放置時間の演算等に必要なプログラムを簡略化することができる。また、特色画像形成装置３が画像形成動作の開始時刻を予約可能な装置である場合などに有効である。
【０２０６】
[実施の形態７]
図２４は、実施の形態７に係る画像形成システムを示すものである。この実施の形態７に係る画像形成システム１は、第１及び第２画像形成装置を同一のカラー画像形成装置２から構成したものである。
【０２０７】
すなわち、この実施の形態７に係る画像形成システム１は、図２４に示されるように、第１及び第２画像形成装置としての１つのカラー画像形成装置２が、イエロー（Ｙ），マゼンタ（Ｍ），シアン（Ｃ）及びブラック（Ｋ）の各色に対応した４つの作像装置２０（Ｙ，Ｍ，Ｃ，Ｋ）と、特色トナーとして白色トナー（Ｗ）からなる作像装置２０Ｗを備え、白色トナー（Ｗ）からなる作像装置２０Ｗを中間転写ベルト３１の移動方向に沿った最も上流側に位置するよう配置したものである。
【０２０８】
このカラー画像形成装置２では、例えば、イエロー（Ｙ），マゼンタ（Ｍ），シアン（Ｃ）及びブラック（Ｋ）からなるフルカラーの画像を形成した後に、白色トナー（Ｗ）からなる画像を追い刷りするような場合、中間転写ベルト３１に対する作像装置２０（Ｙ，Ｍ，Ｃ，Ｋ，Ｗ）の配列に応じて一度に形成可能な画像の順序が限定されてしまうことになる。
【０２０９】
更に説明すると、このカラー画像形成装置２では、例えば、イエロー（Ｙ），マゼンタ（Ｍ），シアン（Ｃ）及びブラック（Ｋ）からなるフルカラーの画像を記録用紙６に形成した後、同一の記録用紙６を外部給紙装置９０に配置して、白色トナー（Ｗ）の作像装置２０Ｗのみを作動させて白色トナー（Ｗ）からなる画像を追い刷りする場合などがある。
【０２１０】
そこで、この実施の形態７に係る画像形成システム１では、カラー画像形成装置２において、例えば、イエロー（Ｙ），マゼンタ（Ｍ），シアン（Ｃ）及びブラック（Ｋ）からなるフルカラーの画像を記録用紙６に形成した後、同一のカラー画像形成装置２で同一の記録用紙６に白色トナー（Ｗ）からなる画像等を追い刷りする際に、記録用紙６の放置時間Ｔに応じて２回目の画像形成工程における二次転写バイアス電圧の値を制御するよう構成されている。
【０２１１】
このように、この実施の形態７に係る画像形成システム１は、第１及び第２の画像形成装置が同一のカラー画像形成装置２からなる場合にも適用することができるものである。
【０２１２】
なお、この実施の形態７に係る画像形成システム１では、サーバー装置４は必ずしも必要ではなく、カラー画像形成装置２の制御装置２００が制御手段としての機能を備えていれば良い。
【０２１３】
[実施の形態８]
図２５は、実施の形態８に係る画像形成システムを示すものである。
【０２１４】
この実施の形態８に係る画像形成システム１では、図２５に示されるように、第１及び第２画像形成装置として、１つのカラー画像形成装置２及び交換可能な画像形成ユニット２０ＣＵ，２０Ｗ等を備えている。
【０２１５】
更に説明すると、この実施の形態７に係る画像形成システム１では、１つのカラー画像形成装置２がイエロー（Ｙ），マゼンタ（Ｍ），シアン（Ｃ）及びブラック（Ｋ）の各色に対応した４つの作像装置２０（Ｙ，Ｍ，Ｃ，Ｋ）を備えている。
【０２１６】
これらの４つの作像装置２０（Ｙ，Ｍ，Ｃ，Ｋ）のうち少なくとも一部の作像装置２０は、露光装置２３を除いてカラー画像形成装置２の装置本体２ａに対して着脱可能に構成されており、交換可能な画像形成ユニットとして構成されている。また、カラー画像形成装置２は、予備の画像形成ユニットとしてカスタムカラー（ＣＵ）のトナーや白色（Ｗ）トナー等を用いた作像装置２０（ＣＵ，Ｗ）などを有している。
【０２１７】
ユーザーは、カラー画像形成装置２において、イエロー（Ｙ），マゼンタ（Ｍ），シアン（Ｃ）及びブラック（Ｋ）等のフルカラーの画像を形成した後、図２６に示されるように、作像装置２０をカスタムカラー（ＣＵ）のトナーや白色（Ｗ）トナー等を用いた作像装置２０（ＣＵ，Ｗ）と交換することにより、同じ記録用紙６にカスタムカラー（ＣＵ）や白色等の画像を形成することが可能となっている。
【０２１８】
そこで、この実施の形態８では、作像装置２０を交換するのに要した時間を含めた放置時間Ｔが経過した後、作像装置２０を交換した後のカラー画像形成装置２において画像を形成するにあたり、放置時間Ｔ及び環境条件に応じて第２画像形成装置である作像装置２０を交換後のカラー画像形成装置２における二次転写バイアス電圧を制御するように構成されている。
【０２１９】
このように、第１画像形成装置と第２画像形成装置は、異なる画像形成装置として構成した場合以外に、第１画像形成装置及び第２画像形成装置は、作像装置を交換することによって結果的に構成が異なる画像形成装置を含むものである。
【０２２０】
[実施の形態９]
図２７は、実施の形態９に係る画像形成システムを示すものである。
【０２２１】
画像形成システム１は、図２７に示されるように、イエロー（Ｙ）、マゼンタ（Ｍ）、シアン（Ｃ）及びブラック（Ｋ）の有色トナーを用いて画像を形成する第１画像形成装置２Ａと、透明トナー（ＣＴ）や銀色トナー（ＳＩ）、カスタムカラートナー（ＣＵ）あるいは白色トナー（Ｗ）等の特色トナーを用いて画像を形成する第２画像形成装置３Ａと、これら第１画像形成装置２Ａ及び第２画像形成装置３Ａを制御するサーバー装置４とを備えている。第１画像形成装置２Ａ、第２画像形成装置３Ａ及びサーバー装置４は、通信回線５を介して相互に通信可能に接続されている。通信回線５は、ＬＡＮ（local area network）や電話回線、インターネット等で構成されている。第１画像形成装置２Ａ及び第２画像形成装置３Ａは、ユーザーが作業するオフィス内などに設置される。
【０２２２】
第１画像形成装置２Ａは、図２に示されるように、装置本体２ａの内部空間において水平方向に沿って１列に並べた状態で配置される４つの作像装置２０を備えている。４つの作像装置２０は、イエロー（Ｙ），マゼンタ（Ｍ），シアン（Ｃ）及びブラック（Ｋ）の各色に対応したカラートナー像をそれぞれ専用に形成する作像装置２０Ｙ，２０Ｍ，２０Ｃ，２０Ｋからなる。
【０２２３】
一方、第２画像形成装置３Ａは、図２８に示されるように、装置本体３ａの内部空間において水平方向に沿って１列に並べた状態で配置される４つの作像装置２０を備えている。４つの作像装置２０は、透明トナー（ＣＴ）や銀色トナー（ＳＩ）、カスタムカラートナー（ＣＵ）及び白色トナー（Ｗ）の各色に対応した特色トナー像をそれぞれ専用に形成する作像装置２０ＣＴ，２０ＣＵ，２０ＳＩ，２０Ｗからなる。
【０２２４】
なお、第１画像形成装置２Ａは、イエロー（Ｙ），マゼンタ（Ｍ），シアン（Ｃ）及びブラック（Ｋ）のカラートナー像を形成するものに限らず、カラートナー像に加えて特色トナー像を形成するものであっても特色トナー像を専用に形成するものであっても良く、第２画像形成装置３Ａは、透明トナー（ＣＴ）や銀色トナー（ＳＩ）、カスタムカラートナー（ＣＵ）及び白色トナー（Ｗ）の各色に対応した特色トナー像を形成するものに限らず、特色トナー像に加えてイエロー（Ｙ），マゼンタ（Ｍ），シアン（Ｃ）及びブラック（Ｋ）のカラートナー像を形成するものであっても、カラートナー像を専用に形成するものであっても良い。
【０２２５】
ところで、この実施の形態９に係る画像形成システム１では、図２７に示されるように、例えば、第１画像形成装置２Ａにおいて記録用紙６にフルカラー等の画像を形成した後、同一の記録用紙６に第２画像形成装置３Ａで透明トナー（ＣＴ）や銀色トナー（ＳＩ）、カスタムカラートナー（ＣＵ）あるいは白色トナー（Ｗ）の少なくとも１色以上からなる特色トナーの画像が形成される。
【０２２６】
かかる画像形成システム１では、例えば、第１画像形成装置２Ａにおいて記録用紙６にフルカラー等の画像を形成した後、同一の記録用紙６に第１画像形成装置２Ａで形成された画像に加えて、第２画像形成装置３Ａにおいてコーポレートカラーからなるカスタムカラートナー（ＣＵ）の画像を重ねて形成する場合などがある。
【０２２７】
このような場合などには、第１画像形成装置２Ａで記録用紙６に形成された画像と、同一の記録用紙６に第２画像形成装置３Ａで形成される画像との間に高い位置合わせ精度が要求される。
【０２２８】
第１画像形成装置２Ａにおいて画像が形成された記録用紙６は、図２９に示されるように、第１画像形成装置２Ａの定着装置５０により加熱及び加圧されて画像が定着された直後、含水率が低い値となって収縮しているのに対して、第２画像形成装置３Ａで画像が形成されるまでの経過時間（放置時間）に応じて放置環境下において吸湿し、含水率が放置時間とともに上昇する傾向がある。なお、図２９は、第１画像形成装置２Ａにおいて画像を形成した直後の普通紙からなる記録用紙６を高湿環境（８０％ＲＨ）下に放置した場合における放置時間Ｔと記録用紙６の含水率及び収縮率の関係を示したグラフである。
【０２２９】
記録用紙６は、放置環境下において吸湿し含水率が上昇するに伴って伸縮率が大きくなり、画像形成直後に比べ放置時間Ｔに応じて縦方向及び横方向に沿ったサイズが変化（増加）する。なお、記録用紙６の縦方向及び横方向の伸縮率は等しいものとする。
【０２３０】
その結果、第１画像形成装置２Ａで画像が形成された記録用紙６に対して第２画像形成装置３Ａで画像を形成するにあたり、放置時間Ｔに応じて記録用紙６のサイズが変化するため、第１画像形成装置２Ａで形成された画像と第２画像形成装置３Ａで形成された画像との間に、放置時間Ｔに応じて位置ずれ（レジずれ）が発生する虞れがある。この第１画像形成装置２Ａで形成された画像と第２画像形成装置３Ａで形成された画像との間に生じる位置ずれは、図２９に示されるように、放置時間Ｔが長くなるほど増加する傾向にある。
【０２３１】
そこで、この実施の形態９に係る画像形成システム１では、第２画像形成装置３Ａの制御手段の一例としての制御装置３００が、放置時間Ｔに応じて第２画像形成装置３Ａが記録媒体６上に形成する画像の倍率を制御（補正）するよう構成されている。この第２画像形成装置３Ａにおける記録用紙６上に画像を形成する際の倍率制御は、第１画像形成装置２Ａで形成された画像との位置ずれを抑制するように実行される。
【０２３２】
また、放置時間Ｔに応じて記録用紙６のサイズが変化する割合は、第２画像形成装置３Ａが設置された環境湿度（相対湿度）等によって変化する。この実施の形態９に係る画像形成システム１は、第２画像形成装置３Ａが設置された環境の湿度（相対湿度）等の環境条件を検知するため、図２８に示されるように、第２画像形成装置３Ａの装置本体３ａの内部における外部給紙装置９０の近傍に、湿度（相対湿度）等の環境条件を検知するための環境センサ９５を備えている。
【０２３３】
図３０はこの実施の形態９に係る画像形成システム１における第２画像形成装置の制御装置を示すブロック図である。
【０２３４】
制御装置３００は、図３０に示されるように、制御手段の一例としての制御部３１０と、記憶部３２０と、画像処理部３３０と、操作部３４０と、通信部３５０とを備えている。
【０２３５】
制御部３１０は、ＣＰＵ（Central Processing Unit）などから構成される。制御部３１０は、記憶部３２０に記憶されたプログラムを実行するとともに、サーバー装置４から送られる制御信号に応じて第２画像形成装置３Ａの画像形成部３０５を制御する。また、制御部３１０は、記憶部３２０や操作部３４０、あるいは通信部３５０を制御するとともに、通信部３５０を介してサーバー装置４及び第１画像形成装置２と通信を行う。
【０２３６】
制御部３１０は、第１画像形成装置２Ａで記録用紙６に画像を形成してから第２画像形成装置３Ａで画像を形成するまでの放置時間Ｔに応じて、第２画像形成装置３Ａの画像形成部３０５で画像を形成する際の倍率を制御する機能を有している。
【０２３７】
画像処理部３３０は、第２画像形成装置３Ａの画像形成部３０５で画像を形成する際に、外部のサーバー装置４から入力される画像情報に対して所要の画像処理を施す。画像処理部３３０が施す所要の画像処理には、画像形成部３０５が形成する画像の倍率の制御（補正）が含まれる。
【０２３８】
環境センサ９５の検知結果は、第２画像形成装置３Ａの制御部３１０に送られる。なお、第２画像形成装置３は、第１画像形成装置２と直接通信を行わなくても、サーバー装置４を介して第１画像形成装置２Ａの情報を取得したり、第２画像形成装置３の情報をサーバー装置４を介して第１画像形成装置２Ａに送信するものでもかまわない。
【０２３９】
図３１は第２画像形成装置３の制御装置３００の画像処理部３３０を示す機能ブロック図である。
【０２４０】
画像処理部３３０は、第２画像形成装置３Ａにおいて記録用紙６に形成する透明トナー（ＣＴ）や銀色トナー（ＳＩ）、カスタムカラートナー（ＣＵ）あるいは白色トナー（Ｗ）の少なくとも１色以上からなる特色画像の画像情報（データ）３３１を取得する取得手段の一例としての画像取得部３３２と、画像取得部３３２により取得された画像データ３３１を展開する画像展開部３３３と、画像展開部３３３において展開された画像データに対して倍率補正を行う倍率補正部３３４と、倍率補正部３３４によって倍率補正を施した画像データを補正画像データ３３６として出力する画像出力部３３５と備えている。倍率補正部３３４は、例えば、主走査方向と副走査方向に沿って画像の倍率をそれぞれ１％単位で画補正する。その際、倍率補正部３３４は、基本的に、主走査方向と副走査方向に沿った画像の倍率を等しく補正するが、主走査方向と副走査方向に沿った画像の倍率をそれぞれ個別に補正することも可能となっている。
【０２４１】
また、画像処理部３３０は、倍率補正部３３４によって倍率補正を行う補正量を算出する補正量算出部３３７と、補正量算出部３３７で補正量を算出するために必要な情報を予め記憶した記憶手段の一例としてのテーブル３３８とを備えている。テーブル３３８は、主として第１画像形成装置２の定着装置５０で生じる記録用紙６の伸縮率の変化に伴う画像形成倍率の補正情報（補正データ）を記憶している。
【０２４２】
画像取得部３３２は、サーバー装置４から送られてくる多値又は２値の網点成分を有する画像データ３３１（例えば、１ｂｉｔのＴｉｆｆ（Tagged Image file format）画像データ）を受け付ける通信部３５０（図３０参照）から構成され、取得した画像データ３３１を画像展開部３３３へ出力する。画像取得部３３２は、必要に応じて、取得した画像データ３３１を記憶部３２０（図３０参照）に一時的に記憶する。
【０２４３】
画像展開部３３３は、画像取得部３３２から送られてくる画像データ３３１を予め定められた領域毎に展開する。画像展開部３３３が画像を展開する領域は、副走査方向に沿った複数のラインからなる領域、あるいは主走査方向及び副走査方向に沿って予め定められた複数の画素数（Ｍ×Ｎドット）からなる領域などに設定される。
【０２４４】
倍率補正部３３４は、画像展開部３３３において展開された画像データに対して倍率補正を行う。この倍率補正は、例えば、画像データ中の画素の間引きや補間等により実行される。倍率補正部３３４は、補正量算出部３３７によって算出された倍率情報に基づいて補正動作を実行する。
【０２４５】
補正量算出部３３７には、図３２に示されるように、環境センサ９５によって検知された第２画像形成装置３が設置された環境の湿度に基いて、放置時間Ｔに応じて画像の補正倍率の収縮情報を記憶したテーブル３３８から画像補正倍率の情報が入力される。
【０２４６】
＜画像形成システムの動作＞
この実施の形態９に係る画像形成システム１では、次のようにして、第１画像形成装置２Ａ及び第２画像形成装置３Ａにおいて画像形成動作が実行される。
【０２４７】
ここでは、第１画像形成装置２Ａにおいて記録用紙６に画像を形成した後、当該記録用紙６を第２画像形成装置３Ａの外部給紙装置９０にセットし、第２画像形成装置３Ａによって第１画像形成装置２Ａとは異なる透明トナー（ＣＴ）や銀色トナー（ＳＩ）、カスタムカラートナー（ＣＵ）あるいは白色トナー（Ｗ）の少なくとも１色以上からなる特色トナーからなる画像を形成する場合の動作について説明する。
【０２４８】
ユーザーは、図示しないパーソナルコンピュータ等を操作して、第１画像形成装置２Ａ及び第２画像形成装置３Ａにおいて形成すべき画像情報を画像形成条件ととともにサーバー装置４に送信する。画像情報及び画像形成条件の送信は、第１画像形成装置２Ａ及び第２画像形成装置３Ａに対して個別に行っても良い。
【０２４９】
画像形成条件としては、例えば、第１画像形成装置２Ａにおいて画像を形成する記録用紙６の種類、画像形成枚数、片面モードや両面モード、フルカラーモードあるいはモノクロモードなどが挙げられる。また、第２画像形成装置３Ａにおける画像形成条件としては、例えば、第２画像形成装置３Ａにおいて画像を形成する記録用紙６の種類、画像形成枚数、片面モードや両面モード、特色トナーの指定などが挙げられる。
【０２５０】
なお、第１画像形成装置２Ａにおいて画像を形成した記録用紙６に対して、第２画像形成装置３Ａで特色トナーからなる画像を形成する場合には、第２画像形成装置３Ａにおいて記録用紙６の種類や画像形成枚数の設定などは不要である。
【０２５１】
サーバー装置４は、第１画像形成装置２Ａ及び第２画像形成装置３Ａにおいて形成すべき画像情報及び画像形成条件を受信すると、第１画像形成装置２Ａに対して当該第１画像形成装置２Ａで形成すべき画像情報及び画像形成条件を送信する。
【０２５２】
第１画像形成装置２Ａの制御装置２００は、サーバー装置４又はユーザーのパーソナルコンピュータ等から画像情報及び画像形成条件を受信すると、所要の記録用紙６に対してフルカラー等の画像形成動作を開始する。
【０２５３】
そして、第１画像形成装置２Ａは、記録用紙６へのフルカラー等の画像形成動作が終了すると、第１画像形成装置２Ａの制御部２０１は、サーバー装置４に対して画像形成動作が終了した旨を通知する。
【０２５４】
サーバー装置４の制御部４０１は、図８に示されるように、第１画像形成装置２Ａの制御装置２００から画像形成動作の終了通知を受信すると、画像形成動作の終了時刻を計時してＲＡＭ４０１ｂ又は記憶部４０２に記憶する。また、サーバー装置４の制御部４０１は、当該サーバー装置４の操作部４０３の表示部４０３ａ及び第１画像形成装置２Ａの操作部２０３の表示部２０３ａの少なくとも一方に、フルカラー等の画像が形成された記録用紙６を第２画像形成装置３Ａの外部給紙装置９０にセットし、第２画像形成装置３において画像形成動作を開始するようユーザーに促すメッセージを表示する。
【０２５５】
ユーザーは、第１画像形成装置２Ａにおいて記録用紙６にフルカラー等の画像を形成する動作が終了すると、フルカラー等の画像が形成された記録用紙６を第２画像形成装置３Ａの外部給紙装置９０に収容（セット）し、第２画像形成装置３の操作部３０３の入力部３０３ａ等を操作することにより画像形成動作の開始を指示する。
【０２５６】
第２画像形成装置３Ａの制御部３０１は、サーバー装置４又はユーザーのパーソナルコンピュータ等から画像情報及び画像形成条件を受信した後、画像形成動作の開始指示を受けて画像形成動作を開始する。
【０２５７】
このとき、第１画像形成装置２Ａでフルカラー等の画像が形成された記録用紙６を、ユーザーが第２画像形成装置３Ａの外部給紙装置９０にセットして第２画像形成装置３Ａで画像形成動作を開始する時期は、ユーザー等の諸事情により区々となる。
【０２５８】
第１画像形成装置２Ａでフルカラー等の画像を記録用紙６に形成した後、直ちに、第２画像形成装置３Ａで同一の記録用紙６に画像形成動作が開始される場合もあれば、第１画像形成装置２Ａでフルカラー等の画像を形成してから、数分あるいは数１０分、更には数時間という時間が経過した後に第２画像形成装置３Ａで画像形成動作が開始される場合もある。そのため、第１画像形成装置２Ａでフルカラー等の画像が形成された記録用紙６は、直ちに第２画像形成装置３Ａで画像形成動作が開始される場合以外、第２画像形成装置３Ａで画像形成動作が開始されるまでの間、第１画像形成装置２Ａや第２画像形成装置３Ａ等において放置された状態となる。
【０２５９】
第２画像形成装置３Ａの制御部３１０は、外部給紙装置９０にセットされた記録用紙６に対して画像形成動作を開始するにあたり、サーバー装置４の制御部４０１（図８参照）に対して画像形成動作を開始する旨を通知する。
【０２６０】
サーバー装置４の制御部４０１は、第２画像形成装置３の制御部３０１から画像形成動作を開始する旨の通知を受信すると、画像形成動作の開始時刻を計時してＲＡＭ４０１ｂ又は記憶部４０２に記憶する。
【０２６１】
その後、サーバー装置４の制御部４０１は、当該制御部４０１が放置時間算出手段として機能し、第１画像形成装置２Ａにおける画像形成動作の終了時刻と、第２画像形成装置３Ａにおける画像形成動作の開始時刻に基づいて、開始時刻から終了時刻を減算することにより記録用紙６の放置時間Ｔを算出する。サーバー装置４の制御部４０１は、算出した放置時間Ｔの情報を第２画像形成装置３へ送信する。
【０２６２】
第２画像形成装置３Ａの制御部３１０は、第２画像形成装置３が設置された環境情報として、環境センサ９５の検知結果である湿度情報を取得する。
【０２６３】
すると、第２画像形成装置３Ａの制御部３１０は、サーバー装置４から送信された放置時間Ｔと、環境センサ９５から取得された湿度情報に基づいて、第２画像形成装置３Ａで画像を形成する際の画像補正倍率を算出する。
【０２６４】
第２画像形成装置３Ａの制御部３１０は、図３２に示されるように、環境センサ９５から取得した湿度情報に基づいて、高湿環境、通常湿度環境あるいは低湿環境のいずれであるかを判別し、記憶部３２０に記憶された３つの特性曲線６０１Ｎ，６０１Ｈ，６０１Ｌから判別された湿度環境に応じた特性曲線を選択する。
【０２６５】
いま、第２画像形成装置３Ａの制御部３１０は、湿度環境が高湿環境であると判別すると、記憶部４０２に記憶された特性曲線のうち高湿環境に対応した特性曲線６０１Ｈを選択する。そして、第２画像形成装置３Ａの制御部３１０は、図３２に示されるように、選択された特性曲線６０１Ｈに基づいて画像形成部で形成すべき画像の補正倍率を算出し、記憶部３２０に一時的に記憶する。
【０２６６】
第２画像形成装置３Ａの制御部３１０は、記憶部３２０に一時的に記憶された画像の補正倍率に基づいて、当該画像形成部３０５による画像形成時の画像倍率を制御する。
【０２６７】
その結果、第１画像形成装置２Ａで画像が形成された後の放置時間Ｔに応じて記録用紙６の伸縮率が変化した場合であっても、図３３に示されるように、第２画像形成装置３Ａの画像形成部３０５では、放置時間Ｔに応じて制御された画像補正倍率で画像を形成することができ、同一の記録用紙６において第１画像形成装置２Ａで画像が形成された画像と第２画像形成装置３Ａで形成された画像との間に位置ずれが生じることが抑制される。
【０２６８】
このように、実施の形態９に係る画像形成システムでは、制御装置３００は、放置時間Ｔに応じて第２画像形成装置３Ａが記録用紙６上に形成する画像の倍率を制御しない場合に比較して、放置時間１Ｔに応じて記録用紙６の収縮率が変化した場合でも画像の位置精度を向上させることができる。
【０２６９】
[実施の形態１０]
図３４は、実施の形態１０に係る画像形成システムを示すものである。
【０２７０】
この実施の形態１０に係る画像形成システム１では、図３４に示されるように、第２画像形成装置３Ａの制御装置３００が、記録媒体の一例としての記録用紙６の紙目に基づいて、当該記録用紙６上に画像を形成する際の縦方向及び横方向の倍率をそれぞれ補正するように構成されている。
【０２７１】
記録用紙６は、図３５に示されるように、抄紙機でパルプを一定方向に流しながら製紙される。そのため、記録用紙６は、製紙する際の進行方向に沿って繊維が揃いやすく、繊維の配向方向である紙目が生じる。紙目が記録用紙６の長手方向に沿って存在する場合は、縦目（Ｔ目）と呼ばれ、紙目が記録用紙６の長手方向と交差する方向に沿って存在する場合は、横目（Ｙ目）と呼ばれる。縦目（Ｔ目）の記録用紙６のサイズは、２１０×２９７ｍｍのように、小さい方の数値を先に記載し、横目（Ｙ目）の記録用紙６のサイズは、２９７×２１０ｍｍのように、大きい方の数値を先に記載する。画像の形成に使用する記録用紙６が縦目（Ｔ目）であるか横目（Ｙ目）かは、第１及び第２画像形成装置２，３の給紙装置６０及び外部給紙装置９０に設けられた図示しない紙目方向検知手段によって判別されるか、制御装置３００の紙目方向検知手段として機能する操作部３４０ａによってユーザーが指定することで判別される。
【０２７２】
記録用紙６は、第１画像形成装置２Ａの定着装置５０において加熱及び加圧され定着処理を受けると収縮するが、紙目の方向に応じて伸縮率が異なる。記録用紙６の伸縮率は、例えば、横目（Ｙ目）の方が縦目（Ｔ目）より約３０％程度大きい。記録用紙６としてＡ３サイズ等の大サイズのものを使用した場合など、第２画像形成装置３Ａにおいて画像を形成する際の倍率を一様に制御すると、記録用紙６の紙目の方向に沿った伸縮率の違いが画像の位置ずれとして現れることがある。
【０２７３】
そこで、この実施の形態１０では、図３４に示されるように、第２画像形成装置３Ａの制御装置３００が放置時間Ｔに応じて画像を形成する際の倍率を制御する際に、紙目方向検知手段の検知結果に基づいて、記録用紙６の横目（Ｙ目）方向（紙目に対して平行方向）に沿った画像の倍率を縦目（Ｔ目）の方向（紙目に対して交差方向）に沿った倍率より大きく設定するよう構成されている。
【０２７４】
具体的には、記録用紙６の紙目に対して交差する方向である横目（Ｙ目）方向は、図３４に示されるように、第１画像形成装置２Ａにおける画像形成後の記録用紙６の収縮率が大きい。そのため、第２画像形成装置３Ａの制御装置３００は、第１画像形成装置２Ａにおいて画像が形成された記録用紙６の放置時間Ｔに応じて画像を形成するときの倍率を制御するが、画像の形成倍率を制御するにあたり、記録用紙６の紙目に対して交差する方向である横目（Ｙ目）方向の画像の倍率を、放置時間Ｔが短いときには大幅に小さく設定し、放置時間Ｔが増加するに伴って急激に大きくなるよう設定する。
【０２７５】
これに対して、記録用紙６の紙目に対して平行な方向である縦目（Ｔ目）方向は、図３５に示されるように、第１画像形成装置２Ａにおける画像形成後の記録用紙６の収縮率が小さい。そのため、第２画像形成装置３Ａの制御装置３００は、図３６に示されるように、第１画像形成装置２Ａにおいて画像が形成された記録用紙６の放置時間Ｔに応じて画像を形成するときの倍率を制御するが、画像の形成倍率を制御するにあたり、記録用紙６の紙目に平行な方向である縦目（Ｔ目）方向の画像の倍率を、放置時間Ｔが短いときであっても比較的小さな値に設定し、放置時間Ｔが増加するに伴って徐々に大きくなり、その後は略一定値に収斂するよう設定する。
【０２７６】
このように、上記実施の形態１０では、図３４に示されるように、記録用紙６の紙目の方向に応じて画像を制御する際の倍率を異ならせるように構成されているので、記録用紙６の紙目の方向に沿った伸縮率の大小に応じて画像の形成倍率を異ならせて画像を形成することができ、記録用紙６の縦方向及び横方向ともに伸縮率に応じた画像を形成することが可能となり、より一層高画質の画像が形成される。
【０２７７】
その他の構成及び作用は前記実施の形態と同様であるので、その説明を省略する。
【０２７８】
[実施の形態１１]
図３７は、実施の形態１１に係る画像形成システムを示すものである。この実施の形態２では、制御手段が、第１画像形成装置における記録媒体の種類に応じて第２画像形成装置の画像の倍率を決定するように構成されている。
【０２７９】
すなわち、この実施の形態１１では、サーバー装置４の制御部４０１が記録用紙６の種類を判別する判別手段としての機能を備えている。サーバー装置４の制御部４０１は、ユーザーが図示しないパーソナルコンピュータ等を操作することによって、当該サーバー装置４に送信される第１画像形成装置２Ａ及び第２画像形成装置３Ａにおいて形成すべき画像形成条件として、記録用紙６の種類を指定する情報を取得して判別する。
【０２８０】
記録用紙６の種類としては、図３７に示されるように、普通紙、厚紙あるいは薄紙等が挙げられる。普通紙は、坪量が５２ｇ／ｍ２以上１０５ｇ／ｍ２以下の用紙をいい、厚紙は、坪量が１０５ｇ／ｍ２を超え且つ３５０ｇ／ｍ２以下の用紙をいい、薄紙は、坪量が５２ｇ／ｍ２未満の用紙をいう。
【０２８１】
厚紙は、普通紙に比較して坪量が大きく、含水率の変化に伴う伸縮率の変化が普通紙よりも小さい。一方、薄紙は、普通紙に比較して坪量が小さく、含水率の変化に伴う伸縮率の変化が普通紙よりも大きい。
【０２８２】
図３７は、第１画像形成装置２において画像を形成した直後の各種の記録用紙６を通常湿度環境（５５％ＲＨ）下に放置した場合における放置時間Ｔと、各種の記録用紙６の伸縮率に応じた画像の補正倍率との関係である特性曲線を示すグラフである。
【０２８３】
各種の記録用紙６に対応した特性曲線は、上述した実施の形態１と同様に回帰式としてサーバー装置４の記憶部４０２に予め記憶されている。
【０２８４】
サーバー装置４の制御部４０１は、ユーザーが指摘した記録用紙６に対応した特性曲線を記憶部４０２から読み出して、記録用紙６の種類及び放置時間Ｔに応じて第２色画像形成装置３における画像形成時の画像の倍率を制御する。
【０２８５】
この実施の形態１１では、記録用紙６の種類に応じて画像形成時の画像の補正倍率を算出する際の特性曲線５０２が異なるため、記録用紙６の吸湿特性に基づく伸縮率の変化に応じて画像の形成倍率を適正に制御することができる。
【０２８６】
このように、上記実施の形態に係る画像形成システム１では、記録用紙６の種類を考慮しない場合に比較して、記録用紙６の種類が異なる場合においても当該記録用紙６に形成される画像の画質を向上させることができる。
【０２８７】
その他の構成及び作用は前記実施の形態と同様であるので、その説明を省略する。
【０２８８】
[実施の形態１２]
図３８は、実施の形態１２に係る画像形成システムを示すものである。
【０２８９】
この実施の形態１２では、カラー画像形成装置２において当該カラー画像形成装置２Ａにおける画像形成動作の内容の一例としての記録用紙６の片面に画像を形成する場合と記録用紙６の両面に画像を形成する場合とで、放置時間Ｔに応じて画像の形成倍率を異ならせるよう構成されている。
【０２９０】
すなわち、この実施の形態１２では、図３８に示されるように、第１画像形成装置２Ａにおいて記録用紙６の片面に画像を形成する場合と記録用紙６の両面に画像を形成する場合とで、放置時間Ｔに対して画像の形成倍率を変化させる特性曲線６０１Ｓ，６０１Ｄを異ならせている。
【０２９１】
第１画像形成装置２で画像を形成する記録用紙６の種類が同一であっても、第１画像形成装置２において、記録用紙６の片面に画像を形成する場合と、記録用紙６の両面に画像を形成する場合では、記録用紙６が定着装置５０を通過することにより、当該定着装置５０によって加熱並びに加圧される回数が異なる。
【０２９２】
記録用紙６の両面に画像を形成する場合は、記録用紙６が定着装置５０を２回通過するため、第１画像形成装置２Ａにおける画像形成直後の記録用紙６は、片面に画像を形成する場合に比較して含水率が低く、収縮率が大きくなっている。
【０２９３】
その後、記録用紙６の収縮率は、放置時間Ｔの経過とともに増加して略同じ値に収斂する。したがって、第１画像形成装置２Ａにおいて、記録用紙６の片面に画像を形成する場合と、記録用紙６の両面に画像を形成する場合では、画像形成直後の記録用紙６の収縮率の違いに応じて適切な画像の形成倍率が異なる。
【０２９４】
そこで、この実施の形態１２では、図３８に示されるように、サーバー装置４の記憶部４０２に第１画像形成装置２Ａにおいて記録用紙６の片面に画像を形成する場合に対応した特性曲線６０１Ｓと、記録用紙６の両面に画像を形成する場合に対応した特性曲線６０１Ｄとを有している。
【０２９５】
サーバー装置４の制御部４０１は、第１画像形成装置２Ａにおいて、記録用紙６の片面に画像を形成するか、又は記録用紙６の両面に画像を形成するかを判別し、記録用紙６の片面又は両面に画像を形成したかに応じて、異なる特性曲線５０２Ｓ，５０２Ｄに基づいて適正な画像の形成倍率の値を算出して、第２画像形成装置３における画像の形成倍率を制御するよう構成されている。
【０２９６】
この実施の形態１２では、第１画像形成装置２Ａにおいて記録用紙６の片面又は両面に画像形成を行う場合のいずれでも、記録用紙６の含水率の変化に伴う収縮率の変化に対応することができ、第２色画像形成装置３Ａにおいて記録用紙６に画像形成を行う際に画質を向上させることが可能となる。
【０２９７】
なお、この実施の形態１２では、第１画像形成装置２Ａにおいて記録用紙６の片面又は両面に画像形成を行うかに応じて、第２色画像形成装置３Ａにおける画像の形成倍率を制御するように構成したが、これに限定されるものではなく、第１画像形成装置２Ａにおける定着動作が記録用紙６に与える熱量に応じて、第２画像形成装置３Ａにおける画像の形成倍率を制御するように構成しても良い。ここで、第１画像形成装置２Ａにおける定着動作が記録用紙６に与える熱量は、定着装置５０の定着温度及び定着速度に応じて決定される。
【０２９８】
その他の構成及び作用は前記実施の形態と同様であるので、その説明を省略する。
【０２９９】
[実施の形態１３]
図５は、実施の形態１３に係る画像形成システムをも示すものである。
【０３００】
この実施の形態１３では、第２画像形成装置３Ａの制御装置３００が、予め定められた経過時間が経過するまで当該第２画像形成装置３Ａにおける画像形成動作を禁止する旨をユーザーに報知する報知手段を備えるよう構成されている。
【０３０１】
また、この実施の形態１３では、制御手段３００が、予め定められた経過時間が経過したとき、第２画像形成装置３Ａにおける画像形成動作を自動的に開始するよう構成されている。
【０３０２】
すなわち、この実施の形態１３では、第２画像形成装置３Ａの制御装置３００が放置時間Ｔに応じて、予め定められた経過時間が経過するまで当該第２画像形成装置３Ａにおける画像形成動作を禁止するよう構成されている。ここで、予め定められた経過時間は、図２９に示されるように、記録用紙６の伸縮率の影響が画像上に表れ難くなる時間、例えば、記録用紙６の伸縮率が９９％に達するまでの時間に設定される。
【０３０３】
このとき、第２画像形成装置３の制御装置３００は、図５に示されるように、報知手段の一例としての操作部３４０の表示部３４０ｂにおいて、予め定められた経過時間が経過するまで画像形成動作を禁止する旨のメッセージを表示し、ユーザーに報知する。
【０３０４】
また、第２画像形成装置３Ａの制御装置３００は、予め定められた経過時間が経過したとき、第２画像形成装置３Ａにおける画像形成動作を自動的に開始するよう構成されている。
【０３０５】
このように、第２画像形成装置３Ａの制御装置３００は、第１画像形成装置２Ａにおいて記録用紙６に画像が形成された後、予め定められた経過時間が経過するまで画像形成動作を禁止することにより、記憶用紙６の収縮率の変化に伴って第１画像形成装置２Ａで形成された画像と、第２画像形成装置３Ａで形成された画像との間に生じる位置ずれが抑制される。
【０３０６】
また、この実施の形態１３では、第２画像形成装置３Ａの制御装置３００において画像の倍率を制御する必要がなく、画像の倍率制御を行うためのコストアップを招くことがない。
【０３０７】
その他の構成及び作用は前記実施の形態と同様であるので、その説明を省略する。
【０３０８】
[実施の形態１４]
図３９は、実施の形態１４に係る画像形成システムを示すものである。
【０３０９】
この実施の形態１４では、サーバー装置４の制御装置４００において、ユーザーが第２画像形成装置３における画像補正倍率を任意に設定する設定手段を備えるよう構成されている。
【０３１０】
すなわち、この実施の形態１４では、サーバー装置４の制御装置４００において、ユーザーが設定手段の一例としての操作部４０３を操作することにより「紙目に基く倍率補正」４２０を選択し、第２画像形成装置３Ａにおける記録用紙６の縦方向（副走査方向：Ｘ）及び横方向（主走査方向：Ｙ）の画補正倍率を任意に設定するよう構成されている。
【０３１１】
その他の構成及び作用は前記実施の形態と同様であるので、その説明を省略する。
【０３１２】
なお、前記実施の形態では、第１画像形成装置の一例としてのカラー画像形成装置２を、第２画像形成装置の一例としての特色画像形成装置３を挙げて説明したが、これに限定されるものではなく、第１画像形成装置が特色画像形成装置であり、第２画像形成装置がカラー画像形成装置であっても良いし、第１及び第２画像形成装置が共に形成する画像の色が異なるカラー画像形成装置や特色画像形成装置などから構成しても良い。
【０３１３】
また、前記実施の形態では、二次転写バイアス電圧を算出するに際して回帰式を用いた場合について説明したが、これに限定されるものではなく、テーブルなどを用いても勿論良い。
【０３１４】
さらに、前記実施の形態では、環境条件として湿度が異なる場合と記録媒体の種類が異なる場合について異なる実施の形態として説明したが、記録媒体の種類に対応した回帰式を異なる湿度環境毎に備え、環境条件として湿度及び記録媒体の種類の方向が異なる場合に対応可能とすることが望ましい。
【０３１５】
また、前記実施の形態では、環境条件として湿度のみを用いた場合について説明したが、これに限定されるものではなく、環境条件として温度及び湿度の双方を用いても良い。
【０３１６】
また、前記実施の形態では、制御手段が、記録媒体の坪量、記録媒体の紙目、第１画像形成装置における定着回数、第１画像形成装置における定着動作が前記記録媒体に与える熱量のうちいずれかに１つに基づいて、第２画像形成装置が前記記録媒体上に画像を形成する際の倍率を補正する場合について説明したが、これに限定されるものではなく、記録媒体の坪量、記録媒体の紙目、第１画像形成装置における定着回数、第１画像形成装置における定着動作が記録媒体に与える熱量のうち、いずれか任意の２つ以上の組み合せに基づいて、第２画像形成装置が記録媒体上に画像を形成する際の倍率を補正するよう構成しても良い。
【符号の説明】
【０３１７】
１…画像形成システム
２…カラー画像形成装置
３…特色画像形成装置
４…サーバー装置
４００…制御装置
４０１…制御部
４０２…記憶部
４０３…操作部
６…記録用紙
９５…環境センサ
【図１】
2020052388.tif 000003
【図２】
2020052388.tif 000004
【図３】
2020052388.tif 000005
【図４】
2020052388.tif 000006
【図５】
2020052388.tif 000007
【図６】
2020052388.tif 000008
【図７】
2020052388.tif 000009
【図８】
2020052388.tif 000010
【図９】
2020052388.tif 000011
【図１０】
2020052388.tif 000012
【図１１】
2020052388.tif 000013
【図１２】
2020052388.tif 000014
【図１３】
2020052388.tif 000015
【図１４】
2020052388.tif 000016
【図１５】
2020052388.tif 000017
【図１６】
2020052388.tif 000018
【図１７】
2020052388.tif 000019
【図１８】
2020052388.tif 000020
【図１９】
2020052388.tif 000021
【図２０】
2020052388.tif 000022
【図２１】
2020052388.tif 000023
【図２２】
2020052388.tif 000024
【図２３】
2020052388.tif 000025
【図２４】
2020052388.tif 000026
【図２５】
2020052388.tif 000027
【図２６】
2020052388.tif 000028
【図２７】
2020052388.tif 000029
【図２８】
2020052388.tif 000030
【図２９】
2020052388.tif 000031
【図３０】
2020052388.tif 000032
【図３１】
2020052388.tif 000033
【図３２】
2020052388.tif 000034
【図３３】
2020052388.tif 000035
【図３４】
2020052388.tif 000036
【図３５】
2020052388.tif 000037
【図３６】
2020052388.tif 000038
【図３７】
2020052388.tif 000039
【図３８】
2020052388.tif 000040
【図３９】
2020052388.tif 000041